【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
ＩＰ転送網は、複数の網ノード装置、１以上の接続サーバ及び１以上の電話番号サーバを含み、前記ＩＰ転送網外部の複数端末は通信回線経由で前記網ノード装置のいずれかに接続され、前記網ノード装置の全てが、ＩＰカプセル化及び逆ＩＰカプセル化技法により外部ＩＰパケットと内部パケットとの間の変換方法を規定する複数ＩＰ通信レコードで成るアドレス管理表を含み、網ノード装置１及び２にはそれぞれＩＰ通信レコード９１及び９２が設定されており、接続サーバ１及び２はそれぞれＣＩＣ管理表１及び２を有し、前記端末１及び２はそれぞれ通信回線１及び２を経て前記網ノード装置１及び２に接続され、前記端末１及び２の電話番号はそれぞれＴＮ１及びＴＮ２、外部アドレスはそれぞれＥＡ１及びＥＡ２であり、
前記端末１は電話番号を用いて前記端末２に接続するため、送信元電話番号ＴＮ１、宛先電話番号ＴＮ２、前記端末１の外部アドレスＥＡ１を含む接続要求外部ＩＰパケットを前記接続サーバ１に向けて送信し、前記外部ＩＰパケットは、前記網ノード装置１において前記ＩＰ通信レコード９１の管理の基に内部パケットとなって前記接続サーバ１に到達し、
前記接続サーバ１は前記端末１及び２の間の通信を識別するため、前記電話番号ＴＮ１及び電話番号ＴＮ２を用いて回線識別番号ＣＩＣＷを定め、手順区分ＩＡＭ、前記回線識別番号ＣＩＣＷ、前記電話番号ＴＮ１及びＴＮ２を前記ＣＩＣ管理表１に書込み、前記電話番号ＴＮ２を電話番号サーバ１に提示して前記端末２の外部アドレスＥＡ２及び前記端末２側の接続制御を実施する前記接続サーバ２の内部アドレスＩＡ９２を取得し、前記ＣＩＣ管理表１に前記外部アドレスＥＡ１、ＥＡ２を書込み、
次に前記接続サーバ１は、手順区分ＩＡＭ、前記回線識別番号ＣＩＣＷ、前記電話番号ＴＮ１及びＴＮ２、前記外部アドレスＥＡ１及びＥＡ２、前記接続サーバ１の内部アドレスＩＡ９１を含み宛先アドレスを前記内部アドレスＩＡ９２とする初期アドレスメッセージを形成して送出し、前記接続サーバ２は、受信した前記初期アドレスメッセージ内容を前記ＣＩＣ管理表２に記録し、前記接続要求に基づく少なくとも接続要求通知を含む内部パケットを形成して前記端末２に向けて送出し、前記内部パケットは前記網ノード装置２において前記ＩＰ通信レコード９２の管理の基に接続要求通知を含む外部ＩＰパケットとなって前記端末２に到達し、前記端末２は少なくとも前記接続要求通知を受信し、前記接続サーバ２は、手順区分ＡＣＭ及び前記回線識別番号ＣＩＣＷを含むアドレス完了メッセージを形成して前記接続サーバ１へ送信し、前記接続サーバ１は前記アドレス完了メッセージを受信し、前記端末２は前記接続要求通知を受信すると呼出中通知を含む外部ＩＰパケットを形成し、前記外部ＩＰパケットは前記網ノード装置２において内部パケットとなって前記接続サーバ２に到達し、前記接続サーバ２は手順区分ＣＰＧ、前記回線識別番号ＣＩＣＷ、前記呼出中通知を含む呼経過メッセージを形成して前記接続サーバ１へ送信し、前記接続サーバ１は前記呼経過メッセージを受信し、続いて前記呼出中通知を含む内部パケットを形成して送出すると前記内部パケットは前記網ノード装置１において呼出中通知を含む外部ＩＰパケットとなって前記端末１に到達し、
前記端末２が呼出しに応答すると、前記端末２は応答を知らせる応答通知を含む外部ＩＰパケットを形成し、前記外部ＩＰパケットは前記網ノード装置２において内部パケットとなって前記接続サーバ２に到達し、前記接続サーバ２は、手順区分ＡＮＭ、前記回線識別番号ＣＩＣＷ、前記応答通知を含む応答メッセージを形成し、前記応答メッセージを前記接続サーバ１へ送信し、前記接続サーバ１は前記応答通知、前記外部アドレスＥＡ２を含む内部パケットを形成して送出し、前記内部パケットは前記網ノード装置１において外部ＩＰパケットとなって前記端末１に到達し、前記端末１は応答通知及び前記外部アドレスＥＡ２を取得し、前記接続サーバ２は前記外部アドレスＥＡ２及びＥＡ１を含むＩＰ通信レコード２を前記網ノード装置２に設定し、前記接続サーバ１は前記外部アドレスＥＡ１及びＥＡ２を含むＩＰ通信レコード１を前記網ノード装置１に設定することにより、前記ＩＰ通信レコード１及び２によって表す前記ＩＰ転送網内のメディア通信路が定まり、
次に通信フェーズとなり、前記端末１が送信した外部ＩＰパケットは前記網ノード装置１に入力し、前記ＩＰ通信レコード１の管理の基に内部パケットとなり、前記内部パケットは前記メディア通信路を転送されて前記網ノード装置２に到達し、前記ＩＰ通信レコード２の管理の基に前記外部ＩＰパケットが復元され、復元された前記外部ＩＰパケットは端末２に到達し、前記端末２から前記端末１に外部ＩＰパケットを送信することも同様であり、
前記端末１又は２から切断要求を受信すると前記接続サーバ１又は２は解放メッセージ、解放完了メッセージを送受して、前記ＩＰ通信レコード１及び２を抹消して端末間通信が終了し、
電話番号を用いる端末間通信において、少なくとも宛先側端末のアドレスを接続要求側端末へ送信し、接続サーバが網ノード装置内に設定したＩＰ通信レコードが用いられて端末が送信する外部ＩＰパケットが内部パケットとなってＩＰ転送網内を送受され、接続制御メッセージ用の内部通信回線とメディア通信路とがＩＰ転送網内で分離することを特徴とするＩＰ転送網を用いた端末間通信接続制御方法。
【請求項２】
前記網ノード装置の全てがＩＰカプセル化及び逆ＩＰカプセル化技法を採用せず、簡易カプセル化及び簡易逆カプセル化技法を採用している請求項１に記載のＩＰ転送網を用いた端末間通信接続制御方法。
【請求項３】
前記ＩＰ転送網において、更に電話番号ＴＮ３である端末３を通信回線３を経て前記網ノード装置１に接続し、前記網ノード装置１にＩＰ通信レコード９３を設定し、前記端末３から前記接続サーバ１に外部ＩＰパケットを送ると前記網ノード装置１で前記ＩＰ通信レコード９３が用いられ、前記外部ＩＰパケットが内部パケットとなって前記接続サーバ１に到達し、又、前記接続サーバ１から端末３に向けた内部パケットを送ると前記網ノード装置１で外部ＩＰパケットとなって前記端末３に到達するようにしておき、前記端末１が電話番号を用いて前記端末３に接続を要求する外部ＩＰパケットを送出すると、接続要求側の接続サーバと宛先側接続サーバが共に前記接続サーバ１となることから初期アドレスメッセージ、アドレス完了メッセージ、呼経過メッセージ、応答メッセージ、解放メッセージ、解放完了メッセージそれぞれを生成して送信し、受信する手順を省いて、前記端末１が電話番号を用いて電話番号ＴＮ３の端末３に接続する一連の端末間通信接続制御を実施するようになっている請求項１又は２に記載のＩＰ転送網を用いた端末間通信接続制御方法。
【請求項４】
前記端末１及び２の間の通信を識別する回線識別番号は、前記端末１及び２それぞれを他端末と厳密に識別できる端末識別番号１及び２を用いて定めるようになっている請求項１又は２に記載のＩＰ転送網を用いた端末間通信接続制御方法。
【請求項５】
前記端末１及び２の間の通信を識別する回線識別番号は、前記端末１及び端末２の前記外部アドレスＥＡ１及びＥＡ２を用いて定めるようになっている請求項１又は２に記載のＩＰ転送網を用いた端末間通信接続制御方法。
【請求項６】
前記接続サーバ１が応答メッセージを受信した後に、前記接続サーバ２へ応答確認メッセージを送信するようになっている請求項１又は２に記載のＩＰ転送網を用いた端末間通信接続制御方法。
【請求項７】
前記接続サーバ２が、アドレス完了メッセージを前記接続サーバ１へ送信しないようになっている請求項１又は２に記載のＩＰ転送網を用いた端末間通信接続制御方法。
【請求項８】
前記ＩＰ転送網から前記接続サーバを撤去し、単一の接続サーバＸのみを設置し、端末Ｎ（Ｎ＝１、２、・・・）が前記接続サーバＸに向けて外部ＩＰパケットを送信すると、前記外部ＩＰパケットは、それぞれが接続する網ノード装置内のＩＰ通信レコードＮの管理の基に、内部パケットとなって前記接続サーバＸに到達するように前記ＩＰ通信レコードＮを設定し、前記接続サーバＸから前記端末Ｎに向けた内部パケットは前記ＩＰ通信レコードＮが用いられて外部ＩＰパケットとなって前記端末Ｎに到達し、端末Ａが電話番号を用いて端末Ｂに接続する端末間通信接続制御が可能であり、前記通信接続制御において、初期アドレスメッセージ、アドレス完了メッセージ、呼経過メッセージ、応答メッセージ、解放メッセージ、解放完了メッセージそれぞれを生成して送信し、受信する手順を省き、単一の接続サーバにより接続制御を実施するようになっている請求項１又は２に記載のＩＰ転送網を用いた端末間通信接続制御方法。
【請求項９】
前記網ノード装置１又は２と前記接続サーバ１又は２との間にそれぞれ代理接続サーバ１又は２を設置し、前記代理接続サーバ１及び２は前記接続サーバ１又は２の接続機能を分担すると共に、前記網ノード装置１又は２と前記接続サーバ１又は２との間で内部パケットの送受を引き継ぐようになっている請求項１又は２に記載のＩＰ転送網を用いた端末間通信接続制御方法。
【請求項１０】
前記接続要求外部ＩＰパケット及び前記接続要求通知を含む外部ＩＰパケット内の宛先ポート番号の値が公開値である請求項１又は２に記載のＩＰ転送網を用いた端末間通信接続制御方法。
【請求項１１】
前記接続サーバ１又は２は、前記接続制御メッセージを送信乃至受信するとき前記ＣＩＣ管理表１又は２に時刻を書込み、端末間通信が終了すると、前記回線識別番号ＣＩＣＷ、通信時刻、送信元及び宛先電話番号を課金情報として記録する請求項１又は２に記載のＩＰ転送網を用いた端末間通信接続制御方法。
【請求項１２】
前記ＩＰ転送網は網ノード装置３を含み、外部アドレスＡ１及びＡ３である端末Ａ１及びＡ３を通信回線を経て前記網ノード装置１及び３に接続し、前記網ノード装置１及び３にＩＰ通信レコード１３及びＩＰ通信レコード３１を設定し、
前記端末Ａ１が送信元外部アドレスＡ１，宛先外部アドレスＡ３である外部ＩＰパケットを送出すると、前記外部ＩＰパケットは前記網ノード装置１の前記ＩＰ通信レコード１３の管理の基に内部パケットとなって前記ＩＰ転送網を転送され、前記網ノード装置３において前記ＩＰ通信レコード３１の管理の基に前記外部ＩＰパケットが復元されて前記端末Ａ３に到達するようになっており、前記端末Ａ１及び端末Ａ３の間で電話番号を用いずにＩＰパケットを送受する通信が可能な請求項１又は２に記載のＩＰ転送網を用いた端末間通信接続制御方法。
【請求項１３】
前記端末１が送信した接続要求外部ＩＰパケットが宛先電話番号ＴＮ２を含むが送信元電話番号ＴＮ１を含まないケースにおいて、前記接続サーバ１は、前記電話番号ＴＮ２のみを用いて前記回線識別番号ＣＩＣＷを定めるか、又は、前記電話番号ＴＮ２及び前記接続要求外部ＩＰパケットが入力する前記通信回線１の終端の論理端子識別情報を用いて前記回線識別番号ＣＩＣＷを定めるか、又は、前記電話番号ＴＮ２及び前記接続サーバ１の内部アドレスを含む接続サーバ１の固有情報を用いて前記回線識別番号ＣＩＣＷを定める請求項１又は２に記載のＩＰ転送網を用いた端末間通信接続制御方法。
【請求項１４】
前記接続サーバ２は、前記接続要求に基づく接続要求通知と共に、前記電話番号ＴＮ１及び前記外部アドレスＥＡ１を含む内部パケットを形成して前記端末２に向けて送出し、前記端末２は前記接続要求通知と共に前記電話番号ＴＮ１及び前記外部アドレスＥＡ１を受信する請求項１又は２に記載のＩＰ転送網を用いた端末間通信接続制御方法。
【請求項１５】
ルータ１及び２はそれぞれ通信回線を経由して前記網ノード装置１及び２に接続されており、前記ルータ１及び２はそれぞれ個別の電話番号及び個別のアドレスを有する複数の端末に接続されており、前記ルータ１に接続する端末１Ｘが電話番号を用いて前記ルータ２に接続する端末２Ｘに接続して通信が可能な請求項１又は２に記載のＩＰ転送網を用いた端末間通信接続制御方法。
【請求項１６】
ＣＡＴＶゲートウェイは通信回線を経由して前記網ノード装置１に接続されると共に、ＣＡＴＶ回線を経由して個別の電話番号及び個別の外部アドレスを有する複数の端末に接続されており、前記網ノード装置１にＩＰ通信レコードＶを設定しておき、前記ＣＡＴＶ回線に接続する端末Ｖ３から前記接続サーバ１に外部ＩＰパケットを送ると、前記網ノード装置１で前記ＩＰ通信レコードＶが用いられて内部パケットとなって前記接続サーバ１に到達し、前記接続サーバ１から前記端末Ｖ３に内部パケットを送ると外部ＩＰパケットとなって前記端末Ｖ３に到達し、前記端末Ｖ３から電話番号を用いて前記端末２に接続を要求して端末間通信が可能な請求項１又は２に記載のＩＰ転送網を用いた端末間通信接続制御方法。
【請求項１７】
前記接続サーバ１は、端末１の外部アドレスＥＡ１を前記接続要求外部ＩＰパケットから取得せず、前記電話番号ＴＮ１を前記電話番号サーバ１に提示して前記外部アドレスＥＡ１を取得する請求項１又は２に記載のＩＰ転送網を用いた端末間通信接続制御方法。
【請求項１８】
前記接続サーバ１は前記電話番号ＴＮ２を前記電話番号サーバ１に提示して前記端末２の外部アドレスＥＡ２を取得せず、前記初期アドレスメッセージは前記端末２の外部アドレスＥＡ２を含まず、代わりに前記接続サーバ２が前記電話番号ＴＮ２を電話番号サーバ２に提示して前記外部アドレスＥＡ２を取得して前記ＣＩＣ管理表２に記録すると共に、アドレス完了メッセージ、呼経過メッセージ又は応答メッセージのいずれかに前記外部アドレスＥＡ２を格納して前記接続サーバ１に送信し、前記接続サーバ１が受信した前記外部アドレスＥＡ２を前記ＣＩＣ管理表１に記録するようになっている請求項１又は２に記載のＩＰ転送網を用いた端末間通信接続制御方法。
【請求項１９】
前記接続サーバ２は前記初期アドレスメッセージ受信後、前記端末２が前記接続要求に対する着信を許容されているかを調べ、許容されていないことを確認すると、着信許容不可を含めたアドレス完了メッセージを前記接続サーバ１へ送信し、前記端末２に向けて接続要求通知を含む内部パケットを送信しないようになっている請求項１又は２に記載のＩＰ転送網を用いた端末間通信接続制御方法。
【請求項２０】
前記通信フェーズにおいて、前記端末１及び２がそれぞれメディアポート番号Ｍ１及びＭ２を設定したＩＰパケットを送受する第１の通信を継続しながら、更に前記端末１及び２は前記第１の通信と併行して、前記Ｍ１及びＭ２と異なる値であるメディアポート番号Ｎ１及びＮ２を設定したＩＰパケットを送受する第２の通信を実施する請求項１又は２に記載のＩＰ転送網を用いた端末間通信接続制御方法。
【請求項２１】
前記第１の通信はデータを送受する通信乃至音声を送受する通信であり、前記第２の通信は静止画像、動画像、音声、動画像、電子文書を送受する通信である請求項２０に記載のＩＰ転送網を用いた端末間通信接続制御方法。
【請求項２２】
前記端末１から前記接続サーバ１に向けて送出される前記接続要求外部ＩＰパケットの送信元外部アドレスは前記端末１の外部アドレスＥＡ１であり、宛先外部アドレスは前記接続サーバ１の外部アドレスＥＡ９１であり、前記外部ＩＰパケットが前記ＩＰ通信レコード９１の管理の基に変換された内部パケットの宛先アドレスは、前記接続サーバ１の内部アドレスＩＡ９１であり、前記通信フェーズにおいて、前記端末１が前記端末２に向けて送信した外部ＩＰパケットの送信元外部アドレスは前記外部アドレスＥＡ１、宛先外部アドレスは前記外部アドレスＥＡ２である請求項１又は２に記載のＩＰ転送網を用いた端末間通信接続制御方法。
【請求項２３】
ＩＰ転送網は複数の網ノード装置を含み、前記ＩＰ転送網外部の複数端末は通信回線経由で前記網ノード装置のいずれかに接続され、前記網ノード装置は、ＩＰカプセル化及び逆ＩＰカプセル化技法により外部ＩＰパケットと内部パケット間の変換方法を規定する複数ＩＰ通信レコードで成るアドレス管理表を含み、網ノード装置１及び２にはそれぞれＩＰ通信レコード９１及び９２が設定されており、
端末１は電話番号を用いて端末２に接続するため、少なくとも送信元電話番号ＴＮ１及び宛先電話番号ＴＮ２を含む接続要求外部ＩＰパケットを送信し、前記外部ＩＰパケットは前記網ノード装置１内の前記ＩＰ通信レコード９１の管理の基に内部パケットとなって前記接続サーバ１に到達し、
前記接続サーバ１は前記端末１及び２の間の通信を識別する回線識別番号ＣＩＣＷを定め、接続要求及び前記回線識別番号ＣＩＣＷを含む初期アドレスメッセージを形成して前記接続サーバ２へ送信し、前記接続サーバ２は前記接続要求に基づく接続要求通知を含む内部パケットを送信すると、前記網ノード装置２で前記ＩＰ通信レコード９２が用いられて接続要求通知を含む外部ＩＰパケットが前記端末２に到達し、以降、前記接続サーバ１と接続サーバ２はアドレス完了メッセージ、呼経過メッセージ，応答メッセージを送受し、前記接続サーバ１は応答通知と共に少なくとも前記端末２の外部アドレスを前記端末１に送付し、前記網ノード装置１及び２内にそれぞれＩＰ通信レコード１及び２を設定することにより、前記ＩＰ通信レコード１及び２によって表わす前記ＩＰ転送網内のメディア通信路が定まり、
次に通信フェーズとなり、前記端末１から送出された外部ＩＰパケットは前記網ノード装置１に入力し、前記ＩＰ通信レコード１の管理の基に内部パケットとなり、前記内部パケットは前記メディア通信路を転送されて前記網ノード装置２に到達し、前記ＩＰ通信レコード２の管理の基に前記外部ＩＰパケットが復元されて前記端末２に到達し、前記端末２から前記端末１への方向の外部ＩＰパケット送信も同様であり、前記端末１又は２から切断要求を受信すると前記接続サーバ１及び２は解放メッセージ，解放完了メッセージを送受して前記ＩＰ通信レコード１及び２を抹消し、端末間通信が終了すると前記回線識別番号、通信時刻、送信元及び宛先電話番号を課金情報として記録し、少なくとも宛先端末のアドレスを接続要求側の端末側へ送信し、接続制御メッセージ送受用の内部通信回線とメディア通信路とがＩＰ転送網内で分離することを特徴とするＩＰ転送網を用いた端末間通信接続制御方法。
【請求項２４】
前記網ノード装置の全てがＩＰカプセル化及び逆ＩＰカプセル化技法を採用せず、簡易カプセル化及び簡易逆カプセル化技法を採用している請求項２３に記載のＩＰ転送網を用いた端末間通信接続制御方法。
【請求項２５】
前記網ノード装置の全てが簡易カプセル化と簡易逆カプセル化、ＩＰカプセル化と逆カプセル化を行わず、前記網ノード装置内のＩＰ通信レコード内のアドレスを含む外部ＩＰパケットのみを通過させるようになっている請求項１、２、２３又は２４に記載のＩＰ転送網を用いた端末間通信接続制御方法。
【請求項２６】
前記端末１及び２がそれぞれ外部アドレスを有する電話機１及び２である請求項１、２、２３又は２４に記載のＩＰ転送網を用いた端末間通信接続制御方法。
【請求項２７】
端末収容無線装置は無線送受信部、無線インタフェース変換部１及び２を含み、無線インタフェース変換部１はＩＰ通信機能を有する端末を接続可能であり、無線インタフェース変換部２はＩＰ通信機能を有しない電話機を接続可能であり、電話番号Ｎ１が付与され、外部アドレス及びＩＰ通信機能を有する端末ＴＬ１から送られた外部ＩＰパケットは、前記無線インタフェース変換部１から前記無線送受信部に入力して電波形式の外部ＩＰパケットとなり、無線通信路を経て無線送受信部Ｖ、無線インタフェース変換部Ｖを経て前記外部ＩＰパケットが復元されて出力され、前記外部ＩＰパケットはゲートウェイＶ，通信回線Ｖを経て前記網ノード装置１に到達し、
電話番号Ｎ２を付与されており、前記ＩＰ通信機能を有しない電話機ＴＬ２から送出された電話呼制御用データ、音声は無線インタフェース変換部２から前記無線送受信部に入力し、前記無線通信路、前記無線送受信部Ｖ、前記無線インタフェース変換部Ｖを経て前記ゲートウェイＶに入力し、前記ゲートウェイＶにおいて送信元アドレスが前記ゲートウェイが有する外部アドレスであり、電話呼制御用データ、音声を含む前記外部ＩＰパケットが出力され、前記外部ＩＰパケットは前記通信回線Ｖを経て前記網ノード装置１に到達し、更に、前記網ノード装置１にＩＰ通信レコードＶを設定し、外部ＩＰパケットが前記網ノード装置１に入力すると前記ＩＰ通信レコードＶが用いられ、前記外部ＩＰパケットが内部パケットとなって前記接続サーバ１到達し、又、前記接続サーバ１から前記ゲートウェイＶに向けた内部パケットを送ると前記網ノード装置１で外部ＩＰパケットとなって前記ゲートウェイＶに到達するようにしておき、
前記端末ＴＬ１が電話番号を用いて前記端末２に接続して端末間通信が可能であり、又、前記電話機ＴＬ２が電話番号を用いて前記端末２に接続して端末間通信を行い得る請求項１、２、２３又は２４に記載のＩＰ転送網を用いた端末間通信接続制御方法。
【請求項２８】
前記無線送受信部Ｖ、無線インタフェース変換部Ｖ及び前記ゲートウェイＶを一体化して、前記ゲートウェイの外部アドレスを有する無線基地局Ｖとして実施する請求項２７に記載のＩＰ転送網を用いた端末間通信接続制御方法。
【請求項２９】
前記無線インタフェース変換部２を含まず、前記無線インタフェース変換部１を含む前記端末収容無線装置及び前記端末ＴＬ１が有する外部アドレス及びＩＰ通信機能を有する端末を一体化して外部アドレスを有する無線機能付端末として実施している請求項２７に記載のＩＰ転送網を用いた端末間通信接続制御方法。
【請求項３０】
前記無線インタフェース変換部１を含まず、前記無線インタフェース変換部２を含む前記端末収容無線装置及び前記ＩＰ通信機能を有しない前記電話機ＴＬ２を一体化して無線機能付電話機として実施している請求項２７に記載のＩＰ転送網を用いた端末間通信接続制御方法。
【請求項３１】
ＩＰ転送網は複数の網ノード装置、１以上の接続サーバ及び１以上の電話番号サーバを含み、前記ＩＰ転送網外部の複数の端末は通信回線経由で前記網ノード装置のいずれかに接続され、前記網ノード装置の全てが、ＩＰカプセル化及び逆ＩＰカプセル化技法により外部ＩＰパケットと内部パケット間の変換方法を規定する複数ＩＰ通信レコードで成るアドレス管理表を含み、網ノード装置１及び２にはそれぞれＩＰ通信レコード９１及び９２が設定されており、接続サーバ１及び２はそれぞれＣＩＣ管理表１及び２を有し、前記端末１及び２はそれぞれ通信回線１及び２を経て前記網ノード装置１及び２に接続され、前記端末１及び２の電話番号はそれぞれＴＮ１及びＴＮ２、外部アドレスはそれぞれＥＡ１及びＥＡ２であり、
前記端末１は、電話番号を用いて前記端末２に接続するため、送信元電話番号ＴＮ１、宛先電話番号ＴＮ２、端末１の外部アドレスＥＡ１，端末１のメディアポート番号ＰＮ１を含む接続要求外部ＩＰパケットを前記接続サーバ１に向けて送信し、前記外部ＩＰパケットは、前記網ノード装置１で前記ＩＰ通信レコード９１の管理の基に内部パケットとなって前記接続サーバ１に到達し、 前記接続サーバ１は前記端末１及び２の間の通信を識別するため、前記電話番号ＴＮ１及び電話番号ＴＮ２を用いて回線識別番号ＣＩＣＷを定め、
手順区分ＩＡＭ、前記回線識別番号ＣＩＣＷ、前記電話番号ＴＮ１及びＴＮ２を前記ＣＩＣ管理表１に書込み、前記電話番号ＴＮ２を電話番号サーバ１に提示して、前記端末２の外部アドレスＥＡ２及び前記端末２側の接続制御を実施する前記接続サーバ２の内部アドレスＩＡ９２を取得し、前記ＣＩＣ管理表１に前記外部アドレスＥＡ１、ＥＡ２を書込み、
次に前記接続サーバ１は、手順区分ＩＡＭ、前記回線識別番号ＣＩＣＷ、前記電話番号ＴＮ１及びＴＮ２，前記外部アドレスＥＡ１及びＥＡ２、前記メディアポート番号ＰＮ１、前記接続サーバ１の内部アドレスＩＡ９１を含み、宛先アドレスを前記内部アドレスＩＡ９２とする初期アドレスメッセージを形成して送出し、前記接続サーバ２は受信した前記初期アドレスメッセージ内容を前記ＣＩＣ管理表２に記録し、前記メディアポート番号ＰＮ１の記録を省略でき、前記接続要求に基づく接続要求通知、前記電話番号ＴＮ１、前記外部アドレスＥＡ１，前記メディアポート番号ＰＮ１を含む内部パケットを形成して前記端末２に向けて送出し、前記内部パケットは前記網ノード装置２で前記ＩＰ通信レコード９２の管理の基に前記接続要求通知を含む外部ＩＰパケットとなって前記端末２に到達し、前記端末２は前記接続要求通知、前記電話番号ＴＮ１、前記外部アドレスＥＡ１，前記メディアポート番号ＰＮ１を取得し、更に前記接続サーバ２は手順区分ＡＣＭ及び前記ＣＩＣＷを含むアドレス完了メッセージを形成して前記接続サーバ１へ送信し、前記接続サーバ１は前記アドレス完了メッセージを受信し、前記端末２は前記接続要求通知を受信すると呼出中通知を含む外部ＩＰパケットを形成し、前記外部ＩＰパケットは前記網ノード装置２で内部パケットとなって前記接続サーバ２に到達し、前記接続サーバ２は手順区分ＣＰＧ、前記ＣＩＣＷ、前記呼出中通知を含む呼経過メッセージを形成して前記接続サーバ１へ送信し、前記接続サーバ１は前記呼経過メッセージを受信し、続いて前記呼出中通知を含む内部パケットを形成して送出すると前記内部パケットは前記網ノード装置１で呼出中通知を含む外部ＩＰパケットとなって前記端末１に到達し、次に前記端末２が呼出しに応答すると、前記端末２は応答を知らせる応答通知及び端末２のメディアポート番号ＰＮ２を含む外部ＩＰパケットを形成し、前記外部ＩＰパケットは前記網ノード装置２で内部パケットとなって前記接続サーバ２に到達し、前記接続サーバ２は、受信した前記内部パケットから前記メディアポート番号ＰＮ２を取得し、手順区分ＡＮＭ、前記回線識別番号ＣＩＣＷ、前記応答通知、前記メディアポート番号ＰＮ２を含む応答メッセージを形成し、前記応答メッセージを前記接続サーバ１へ送信し、
前記接続サーバ１は前記応答通知、前記外部アドレスＥＡ２及び前記メディアポート番号ＰＮ２を含む内部パケットを形成して送出し、前記内部パケットは前記網ノード装置１で外部ＩＰパケットとなって前記端末１に到達し、前記端末１は応答通知、前記外部アドレスＥＡ２及び前記メディアポート番号ＰＮ２を取得し、前記接続サーバ２は前記外部アドレスＥＡ２及びＥＡ１を含むＩＰ通信レコード２を前記網ノード装置２内に設定し、前記接続サーバ１は前記外部アドレスＥＡ１及びＥＡ２を含むＩＰ通信レコード１を前記網ノード装置１内に設定することにより、前記ＩＰ通信レコード１及び２によって表わせる内部パケット転送経路が定まり、
次に通信フェーズとなり、前記端末１が送信した外部ＩＰパケットは前記網ノード装置１に入力し、前記ＩＰ通信レコード１の管理の基に内部パケットとなり、前記内部パケットは前記内部パケット転送経路を転送されて前記網ノード装置２に到達し、前記ＩＰ通信レコード２の管理の基に前記外部ＩＰパケットが復元され、復元された前記外部ＩＰパケットは端末２に到達し、
前記端末１又は２から接続サーバ１又は２へ端末間通信の切断要求が送信され、前記接続サーバ１又は２から接続サーバ２又は１へ解放メッセージが送信され、前記接続サーバ２又は１から前記端末２又は１へ切断指示が送信され、前記接続サーバ２又は１から前記接続サーバ１又は２へ解放完了メッセージが送られ、前記接続サーバ１及び２はそれぞれ前記通信レコード１及び２の抹消を指示し、電話番号を用いる端末間通信において、接続要求側及び宛先側端末のアドレス及びメディアポート番号を互いに相手端末側へ送信し、
接続制御メッセージ送受用の内部通信回線と内部パケット転送経路とがＩＰ転送網内で分離することを特徴とするＩＰ転送網を用いた端末間通信接続制御方法。
【請求項３２】
前記端末２のメディアポート番号ＰＮ２を前記端末１に送信する手順を省いており、前記端末１は予め定めてある前記端末２のメディアポート番号ＰＮ２を用いるようになっている請求項３１に記載のＩＰ転送網を用いた端末間通信接続制御方法。
【請求項３３】
前記端末１のメディアポート番号ＰＮ１を前記端末２に送信する手順を省いており、前記端末１から送信する外部ＩＰパケットに前記メディアポート番号ＰＮ１を設定して前記端末２に通知する請求項３１に記載のＩＰ転送網を用いた端末間通信接続制御方法。
【請求項３４】
前記端末２は前記接続要求通知を受信すると、呼出中通知及び端末２のメディアポート番号ＰＮ２を含む外部ＩＰパケットを形成して送出し、前記接続サーバ２は手順区分ＣＰＧ、前記回線識別番号ＣＩＣＷ、前記端末２のメディアポート番号ＰＮ２、前記呼出中通知を含む呼経過メッセージを形成して前記接続サーバ１へ送信し、前記接続サーバ１は呼出中通知又は応答通知、及び、前記外部アドレスＥＡ２及び前記メディアポート番号ＰＮ２を含む内部パケットを形成して前記端末１に向けて送出する請求項３１に記載のＩＰ転送網を用いた端末間通信接続制御方法。
【請求項３５】
メディアルータＰは外部アドレスを有し、電話制御部、電話番号ポート番号対応表を含み、個別電話番号を有する複数の電話機が回線経由で前記電話制御部に接続しており、メディアルータＰ１及びＰ２はそれぞれ通信回線を経由して前記網ノード装置１及び２に接続されており、前記網ノード装置１及び２にはそれぞれＩＰ通信レコードＰ１及びＰ２が設定されており、前記メディアルータＰ１及びＰ２内部の電話制御部に接続する電話機Ｔ１及びＴ２の電話番号がＮ１及びＮ２であり、前記メディアルータＰ１及びＰ２別の前記電話番号ポート番号対応表により、前記電話機Ｔ１及びＴ２にはメディアポート番号Ｒ１及びＲ２が付与されており、
前記電話機Ｔ１が電話番号を用いて電話機Ｔ２を呼出すと、前記メディアルータＰ１は、送信元電話番号Ｎ１、宛先電話番号Ｎ２，前記メディアルータＰ１の外部アドレスＰ１，前記メディアポート番号Ｒ１を含む接続要求外部ＩＰパケットを前記接続サーバ１に向けて送信し、前記外部ＩＰパケットは前記ＩＰ通信レコードＰ１の管理の基に前記接続要求を含む内部パケットとなって前記接続サーバ１に到達し、以降、前記ＩＰ通信レコードＰ１及びＰ２が用いられて初期アドレスメッセージ、アドレス完了メッセージ、呼経過メッセージ、応答メッセージを送受して電話通信を行い得る請求項１、２，２３，２４又は３１に記載のＩＰ転送網を用いた端末間通信接続制御方法。
【請求項３６】
前記メディアルータＰ１に接続する前記電話機Ｔ１が、電話番号を用いて前記端末２に接続するため、送信元電話番号は前記電話機Ｔ１の電話番号Ｎ１、宛先電話番号ＴＮ２、前記メディアルータＰ１の外部アドレスＰ１，前記メディアポート番号Ｒ１を含む接続要求外部ＩＰパケットを前記接続サーバ１に向けて送信することにより、前記網ノード装置１内の前記ＩＰ通信レコードＰ１及び前記網ノード装置２内のＩＰ通信レコード９２が用いられて、前記電話機Ｔ１と前記端末２との間で端末間通信が行ない得る請求項３５に記載のＩＰ転送網を用いた端末間通信接続制御方法。
【請求項３７】
前記接続サーバ１は、前記メディアルータＰ１に接続する電話機からの電話通信接続要求数の上限値を前記メディアルータＰ１毎に制限する発信回線数管理を行う請求項３５又は３６に記載のＩＰ転送網を用いた端末間通信接続制御方法。
【請求項３８】
前記接続サーバ２は、前記メディアルータＰ２に接続する電話機への電話通信接続通知数の上限値を前記メディアルータＰ２毎に制限する着信回線数管理を行う請求項３５に記載のＩＰ転送網を用いた端末間通信接続制御方法。
【請求項３９】
メディアルータＱは通信回線経由で前記網ノード装置１に接続されており、ＰＢＸ制御部を含み、外部アドレスＡＱを有し、前記ＰＢＸ制御部は回線経由で複数電話機を接続するＰＢＸに接続されており、前記ＰＢＸに接続する電話機Ｔｊ（ｊ＝１，２，・・・）の電話番号Ｎｊとメディアポート番号Ｒｊ用の電話番号ポート番号対応表を有し、前記網ノード装置１にはＩＰ通信レコードＱ１が設定されており、前記ＰＢＸに接続する電話機Ｔ１の電話番号がＮ１であり、前記電話機Ｔ１には、前記電話番号ポート番号対応表によりメディアポート番号Ｒ１が付与されており、
前記電話機Ｔ１が電話番号を用いて電話番号ＴＮ２である前記端末２を呼出すと、前記メディアルータＱは送信元電話番号Ｎ１、宛先電話番号ＴＮ２，前記メディアルータＱの外部アドレスＡＱ，前記メディアポート番号Ｒ１を含む接続要求外部ＩＰパケットを前記接続サーバ１に向けて送信し、前記外部ＩＰパケットは、前記ＩＰ通信レコードＱ１の管理の基に前記接続要求を含む内部パケットとなって前記接続サーバ１に到達し、以降、前記ＩＰ通信レコードＱ１及び前記ＩＰ通信レコード９２とが用いられて、初期アドレスメッセージ、アドレス完了メッセージ、呼経過メッセージ、応答メッセージを送受して端末間通信を行う請求項１、２，２３，２４又は３１に記載のＩＰ転送網を用いた端末間通信接続制御方法。
【請求項４０】
ＩＰ転送網は複数の網ノード装置及び１以上の接続サーバを含み、複数端末は通信回線により前記網ノード装置の何れかに接続され、端末１及び２はそれぞれ網ノード装置１及び２に接続され、電話番号ＴＮ１及びＴＮ２を有しており、前記端末１は電話番号を用いて端末２に接続するため、前記接続サーバ１へ少なくとも前記電話番号ＴＮ２を含む通信接続を要求する外部ＩＰパケットを送信し、前記外部ＩＰパケットは前記網ノード装置１を経て内部パケットとなって前記接続サーバ１に到達し、前記接続サーバ１は前記電話番号ＴＮ２、端末１のアドレスＥＡ１及び端末２のアドレスＥＡ２を含む初期アドレスメッセージを形成して前記接続サーバ２へ送出し、前記接続サーバ２は少なくとも接続要求通知を含む内部パケットを送出し、前記内部パケットは前記網ノード装置２を経て接続要求通知を含む外部ＩＰパケットとなって宛先端末２に到達し、更に前記接続サーバ２はアドレス完了メッセージを送出すると、前記アドレス完了メッセージは前記接続サーバ１へ到達し、前記端末２は前記接続要求通知を受信すると、呼出中通知を含む外部ＩＰパケットを前記網ノード装置２を経て前記接続サーバ２に送出し、前記接続サーバ２は前記呼出中通知を含む呼経過メッセージを形成して送出し、前記呼経過メッセージは前記接続サーバ１へ到達し、前記接続サーバ１は前記呼出中通知を含む内部パケットを送出すると、前記網ノード装置１で前記呼出中通知を含む外部ＩＰパケットとなって前記端末１に到達し、
前記端末２が前記呼出しに応答し、前記応答通知を含む外部ＩＰパケットは前記網ノード装置２を経て前記接続サーバ２に送出され、前記接続サーバ２は前記応答通知を含む応答メッセージを形成して送出し、前記応答メッセージは前記接続サーバ１へ到達し、前記接続サーバ１は前記応答通知及び前記ＥＡ２を含む内部パケットを送出すると、前記網ノード装置１で前記応答通知及び前記ＥＡ２を含む外部ＩＰパケットとなって前記端末１に到達し、前記接続サーバ１及び２は、前記アドレスＥＡ１及びＥＡ２を含み、内部パケット転送経路を規定するＩＰ通信レコード１及び２を、前記網ノード装置１及び２内にそれぞれ設定し、
前記端末１が前記端末２へ前記アドレスＥＡ２を含む外部ＩＰパケット送信すると、前記外部ＩＰパケットは前記網ノード１から前記ＩＰ転送網に入力して前記内部パケット転送経路を転送され、前記網ノード装置２を経て前記端末２へ転送され、前記接続サーバ１及び２は、前記端末１又は２の切断要求に基づいて解放メッセージ及び解放完了メッセージを送受して前記内部パケット転送経路を解放し、通信時刻、送信元及び宛先電話番号を課金情報として記録し、少なくとも宛先側端末のアドレスを接続要求側端末へ送信し、接続制御メッセージ送受用の内部通信回線と内部パケット転送経路とがＩＰ転送網内で分離することを特徴とするＩＰ転送網を用いた端末間通信接続制御方法。
【請求項４１】
前記網ノード装置の全てがＩＰカプセル化及び逆ＩＰカプセル化技法を採用せず、簡易カプセル化及び簡易逆カプセル化技法を採用している請求項４０に記載のＩＰ転送網を用いた端末間通信接続制御方法。
【請求項４２】
前記接続サーバ１又は２は、端末間通信が終了したとき、前記回線識別番号、通信時刻、送信元及び宛先電話番号を課金情報として記録しない請求項４０又は４１に記載のＩＰ転送網を用いた端末間通信接続制御方法。
【請求項４３】
前記ＩＰ転送網において、更に電話番号ＴＮ３である端末３を通信回線３を経て前記網ノード装置１に接続し、前記網ノード装置１にＩＰ通信レコード９３を設定し、前記端末３から前記接続サーバ１に外部ＩＰパケットを送ると前記網ノード装置１で前記ＩＰ通信レコード９３が用いられ、前記外部ＩＰパケットが内部パケットとなって前記接続サーバ１到達し、又、前記接続サーバ１から前記端末３に向けた内部パケットを送ると前記網ノード装置１で外部ＩＰパケットとなって前記端末３に到達するようにしておき、
前記端末１が、電話番号を用いて前記端末３に通信接続を要求する外部ＩＰパケットを送出すると、接続要求側の接続サーバと宛先側接続サーバが共に前記接続サーバ１となることから、初期アドレスメッセージ、アドレス完了メッセージ、呼経過メッセージ、応答メッセージ、解放メッセージ、解放完了メッセージそれぞれを生成して送信し、受信する手順を省いて、前記端末１が電話番号を用いて電話番号ＴＮ３の端末３に接続する端末間通信接続制御を実施する請求項４０乃至４２に記載のＩＰ転送網を用いた端末間通信接続制御方法。
【請求項４４】
前記応答メッセージが前記接続サーバ１に到達すると、更に前記接続サーバ１から前記接続サーバ２に応答確認メッセージを送信すること請求項４０乃至４２に記載のＩＰ転送網を用いた端末間通信接続制御方法。
【請求項４５】
前記接続サーバ１と前記接続サーバ２との間でアドレス完了メッセージの送受を省いている請求項４０乃至４２に記載のＩＰ転送網を用いた端末間通信接続制御方法。
【請求項４６】
前記ＩＰ転送網から前記接続サーバを撤去し、単一の接続サーバＸのみを設置し、端末Ｎ（Ｎ＝１，２、・・）が前記接続サーバＸに向けて外部ＩＰパケットを送信すると、前記外部ＩＰパケットはそれぞれが接続する網ノード装置内のＩＰ通信レコードＮの管理の基に内部パケットとなって前記接続サーバＸに到達するように前記ＩＰ通信レコードＮを設定し、前記接続サーバＸから端末Ｎに向けた内部パケットは網ノード装置を経て外部ＩＰパケットとなって前記端末Ｎに到達し、端末Ａが電話番号を用いて端末Ｂに接続する端末間通信接続制御が可能であり、前記通信接続制御において、初期アドレスメッセージ、アドレス完了メッセージ、呼経過メッセージ、応答メッセージ、解放メッセージ、解放完了メッセージそれぞれを生成して送信し、受信する手順を省き、単一の接続サーバＸにより接続制御を実施する請求項４０乃至４２に記載のＩＰ転送網を用いた端末間通信接続制御方法。
【請求項４７】
メディアルータＰは外部アドレスを有し、電話制御部、電話番号ポート番号対応表を含み、個別電話番号を有する複数の電話機が回線経由で前記電話制御部に接続されており、メディアルータＰ１及びＰ２はそれぞれ通信回線を経由して前記網ノード装置１及び２に接続されており、前記網ノード装置１及び２にはそれぞれＩＰ通信レコードＰ１及びＰ２が設定されており、前記メディアルータＰ１及びＰ２内部の電話制御部に接続する電話機Ｔ１及びＴ２の電話番号がＮ１及びＮ２であり、前記メディアルータＰ１及びＰ２別の前記電話番号ポート番号対応表により、前記電話機Ｔ１及びＴ２にはメディアポート番号Ｒ１及びＲ２が付与されており、
前記電話機Ｔ１が電話番号を用いて電話機Ｔ２を呼出すと、前記メディアルータＰ１は送信元電話番号Ｎ１、宛先電話番号Ｎ２，前記メディアルータＰ１の外部アドレスＰ１，前記メディアポート番号Ｒ１を含む接続要求外部ＩＰパケットを前記接続サーバ１に向けて送信し、前記外部ＩＰパケットは、前記ＩＰ通信レコードＰ１の管理の基に前記接続要求を含む内部パケットとなって前記接続サーバ１に到達し、以降、前記ＩＰ通信レコードＰ１及びＰ２が用いられて初期アドレスメッセージ、アドレス完了メッセージ、呼経過メッセージ、応答メッセージを送受してから電話通信を行う請求項４０乃至４２に記載のＩＰ転送網を用いた端末間通信接続制御方法。
【請求項４８】
前記メディアルータＰ１に接続する前記電話機Ｔ１が、電話番号を用いて前記端末２に接続するため、送信元電話番号は前記電話機Ｔ１の電話番号Ｎ１、宛先電話番号ＴＮ２、前記メディアルータＰ１の外部アドレスＰ１，前記メディアポート番号Ｒ１を含む接続要求外部ＩＰパケットを前記接続サーバ１に向けて送信することにより、前記網ノード装置１内の前記ＩＰ通信レコードＰ１及び前記網ノード装置２内の端末２向けのＩＰ通信レコード９２が用いられて、前記電話機Ｔ１と前記端末２との間で端末間通信が行ない得る請求項４７に記載のＩＰ転送網を用いた端末間通信接続制御方法。
【請求項４９】
前記接続サーバ１は、前記メディアルータＰ１に接続する電話機からの電話通信接続要求数の上限値を前記メディアルータＰ１毎に制限する発信回線数管理を行うようになっている請求項４７又は４８に記載のＩＰ転送網を用いた端末間通信接続制御方法。
【請求項５０】
前記接続サーバ２は、前記メディアルータＰ２に接続する電話機への電話通信接続通知数の上限値を前記メディアルータＰ２毎に制限する着信回線数管理を行うようになっている請求項４７に記載のＩＰ転送網を用いた端末間通信接続制御方法。
【請求項５１】
メディアルータＱは通信回線経由で前記網ノード装置１に接続されており、ＰＢＸ制御部を含み、外部アドレスＡＱを有し、前記ＰＢＸ制御部は回線経由で複数電話機を接続するＰＢＸに接続されており、前記ＰＢＸに接続する電話機Ｔｊ（ｊ＝１，２，・・・）の電話番号Ｎｊとメディアポート番号Ｒｊ用の電話番号ポート番号対応表を有し、前記網ノード装置１にはＩＰ通信レコードＱ１が設定されており、前記ＰＢＸに接続する電話機Ｔ１の電話番号がＮ１であり、前記電話機Ｔ１には前記電話番号ポート番号対応表によりメディアポート番号Ｒ１が付与されており、
前記電話機Ｔ１が電話番号を用いて電話番号ＴＮ２である前記端末２を呼出すと、前記メディアルータＱは送信元電話番号Ｎ１、宛先電話番号ＴＮ２，前記メディアルータＱの外部アドレスＡＱ，前記メディアポート番号Ｒ１を含む接続要求外部ＩＰパケットを前記接続サーバ１に向けて送信し、前記外部ＩＰパケットは、前記ＩＰ通信レコードＱ１の管理の基に前記接続要求を含む内部パケットとなって前記接続サーバ１に到達し、以降、前記ＩＰ通信レコードＱ１及び端末２向けのＩＰ通信レコード９２とが用いられて初期アドレスメッセージ、アドレス完了メッセージ、呼経過メッセージ、応答メッセージを送受して端末間通信を行う請求項４０乃至４２に記載のＩＰ転送網を用いた端末間通信接続制御方法。
【請求項５２】
前記接続要求外部ＩＰパケット及び前記接続要求通知を含む外部ＩＰパケット内の宛先ポート番号の値が公開値である請求項４０乃至４２に記載のＩＰ転送網を用いた端末間通信接続制御方法。
【請求項５３】
ＩＰ転送網は２以上の接続サーバを含み、前記ＩＰ転送網は通信回線経由で複数の端末に接続され、電話番号を用いて端末間通信を行うため、接続要求側の端末１は、接続サーバ１へ送信元電話番号及び宛先側電話番号を含む通信接続を要求する外部ＩＰパケットを送信し、前記接続サーバ１は、前記端末１及び２の間の通信を識別するため、前記送信元電話番号及び宛先側電話番号を用いて回線識別番号を定め、宛先側接続サーバ２と前記回線識別番号を含む初期アドレスメッセージ、アドレス完了メッセージ、呼経過メッセージ、応答メッセージを送受し、結果として前記ＩＰ転送網内の内部パケット転送経路が定まり、外部ＩＰパケットを送受する端末間通信が終了すると、前記接続サーバ１及び２は解放メッセージ、解放完了メッセージを送受して前記端末間の通信路を解放し、接続サーバ２が前記初期アドレスメッセージを受信すると前記端末１のアドレス及びメディアポート番号を前記端末２に通知し、接続サーバ１が前記呼経過メッセージ又は前記応答メッセージを受信すると、前記端末２のアドレス及びメディアポート番号を前記端末１に通知し、端末間通信の終了後、前記接続サーバ１及び２は前記回線識別番号、通信時刻、送信元及び宛先電話番号を課金情報として記録し、接続要求側及び宛先端末のアドレス及びポート番号を共に相手端末へ送信するＩＰ転送網を用いた端末間通信接続制御方法。
【請求項５４】
前記呼経過メッセージ又は前記応答メッセージにより、前記端末２のメディアポート番号を前記端末１に送信する手順を省いており、前記端末１は予め定めてある前記端末２のメディアポート番号を用いるようになっている請求項５３に記載のＩＰ転送網を用いた端末間通信接続制御方法。
【請求項５５】
前記初期アドレスメッセージにより、前記端末１のメディアポート番号を前記端末２に送信する手順を省いており、前記端末１から送信する外部ＩＰパケットに前記メディアポート番号を設定して前記端末２に通知する請求項５３に記載のＩＰ転送網を用いた端末間通信接続制御方法。
【請求項５６】
ルータ１及び２はそれぞれ通信回線を経由して前記接続サーバ１及び２に接続されており、前記ルータ１及び２はそれぞれ個別の電話番号及び個別のアドレスを有する複数の端末に接続されており、前記ルータ１に接続する端末Ａ１と前記ルータ２に接続する端末Ａ２とが前記ＩＰ転送を経由して通信を行う請求項４０、４１又は５３に記載のＩＰ転送網を用いた端末間通信接続制御方法。
【請求項５７】
前記電話番号がホスト名を含む端末識別情報である請求項１，２，２３，２４、４０、４１又は５３に記載のＩＰ転送網を用いた端末間通信接続制御方法。
【請求項５８】
前記端末１及び２がそれぞれアドレス及びＩＰ通信機能を有する電話機１及び電話機２である請求項４０、４１又は５３に記載のＩＰ転送網を用いた端末間通信接続制御方法。
【請求項５９】
ＩＰ転送網は複数の網ノード装置及び１以上の接続サーバを含み、複数端末は通信回線により前記網ノード装置の何れかに接続され、端末１及び２は網ノード装置１及び２に接続され、電話番号ＴＮ１及びＴＮ２を有しており、前記端末１は電話番号を用いて前記端末２に接続するため、前記接続サーバ１へ通信接続を要求する外部ＩＰパケットを送信し、前記接続サーバ１は、前記端末１及び２の間の通信を識別するため前記外部ＩＰパケットに含まれる前記電話番号ＴＮ１及びＴＮ２を用いて回線識別番号を定め、前記回線識別番号、前記電話番号１及び２、前記端末１のアドレスＥＡ１、ＥＡ２及びメディアポート番号ＰＮ１を含む初期アドレスメッセージを形成して送出し、前記接続サーバ２は前記接続要求と共に前記端末１のアドレスＥＡ１及びメディアポート番号ＰＮ１を含む外部ＩＰパケットを前記端末２へ通知し、外部ＩＰパケットに前記端末１の電話番号ＴＮ１を含めることも可能であり、
更にアドレス完了メッセージを送出し、前記アドレス完了メッセージは前記接続サーバ１へ到達し、前記端末２は前記接続要求通知を受信すると呼出中通知を含む外部ＩＰパケットを前記接続サーバ２に送出し、前記接続サーバ２は前記呼出中通知を含む呼経過メッセージを形成して送出し、前記呼経過メッセージは前記接続サーバ１へ到達し、前記接続サーバ１は前記呼出中通知を送出し、前記呼出中通知を含む外部ＩＰパケットは前記端末１に到達し、
前記端末２が前記呼出しに応答し、前記応答通知及び前記端末２のメディアポート番号ＰＮ２を含む外部ＩＰパケットは前記接続サーバ２に送出され、前記接続サーバ２は前記応答通知及びＰＮ２を含む応答メッセージを形成して送出し、前記応答メッセージは前記接続サーバ１へ到達し、前記接続サーバ１は前記応答通知、前記アドレスＥＡ２及びＰＮ２を送出し、前記応答通知、前記アドレスＥＡ２及びＰＮ２を含む外部ＩＰパケットは前記端末１に到達し、前記接続サーバ１及び２は、前記網ノード装置１及び網ノード装置２内に、それぞれ前記アドレスＥＡ１及びＥＡ２を含む外部ＩＰパケットと内部パケット間の相互の変換ルールを規定するＩＰ通信レコード１及び２を設定し、前記端末１が端末２へ前記アドレスＥＡ１、ＥＡ２及び前記メディアポート番号ＰＮ１、ＰＮ２を含むディジタルメディアを含む外部ＩＰパケット送信すると、前記外部ＩＰパケットは前記網ノード１内の前記ＩＰ通信レコード１が用いられて内部パケットとなってＩＰ転送網内の内部パケット転送経路を転送され、前記網ノード装置２において前記ＩＰ通信レコード２が用いられて前記外部ＩＰパケットが復元し、前記接続サーバ１及び２は端末１乃至端末２の切断要求に基づいて、解放メッセージ及び解放完了メッセージを送受して前記内部パケット転送経路を解放し、前記回線識別番号、通信時刻、送信元及び宛先電話番号を課金情報として記録し、接続要求側及び宛先端末のアドレス及びポート番号を共に相手端末へ送信し、接続制御メッセージ送受用の内部通信回線と内部パケット転送経路とがＩＰ転送網内で分離することを特徴とするＩＰ転送網を用いた端末間通信接続制御方法。
【請求項６０】
前記端末２のメディアポート番号ＰＮ２を前記端末１に送信する手順を省いており、前記端末１は予め定めてある前記端末２のメディアポート番号ＰＮ２を用いるようになっている請求項５９に記載のＩＰ転送網を用いた端末間通信接続制御方法。
【請求項６１】
前記端末１のメディアポート番号ＰＮ１を前記端末２に送信する手順を省いており、前記端末１から送信する外部ＩＰパケットに前記メディアポート番号ＰＮ１を設定して前記端末２に通知する請求項５９に記載のＩＰ転送網を用いた端末間通信接続制御方法。
【請求項６２】
ＩＰ転送網は複数の網ノード装置を含み、前記網ノード装置の全てがＩＰカプセル化及び逆ＩＰカプセル化技法により外部ＩＰパケットと内部パケット間の変換方法を規定する複数ＩＰ通信レコードで成るアドレス管理表を含み、前記ＩＰ転送網の外部に複数のメディアルータＸが接続され、メディアルータＸ１及びＸ２は外部アドレスＥＡ１及びＥＡ２を有し、それぞれメディアルータ管理部１及び２、電話番号サーバ１及び２を含み、ＩＰ通信機能を有しない電話機を複数接続可能であり、メディアルータＸ１及びＸ２はそれぞれ通信回線１及び２を経て網ノード装置１及び２に接続され、前記網ノード装置１のアドレス管理表１にＩＰ通信レコード１２が設定され、前記網ノード装置２のアドレス管理表２にＩＰ通信レコード２１が設定されており、前記ＩＰ通信レコード１２は前記外部アドレスＥＡ１及びＥＡ２を含み、前記ＩＰ通信レコード２１は前記外部アドレスＥＡ２及びＥＡ１を含み、電話機１及び２は電話番号がＴＮ１及びＴＮ２であり、それぞれ前記メディアルータＸ１及びＸ２に接続されており、
電話機１が電話番号を用いて電話機２に接続するため、前記電話機１はメディアルータ管理部１へ宛先電話機２への電話通信接続を要求し、前記メディアルータ管理部１は前記電話番号サーバ１に前記電話番号ＴＮ２を提示して前記メディアルータ管理部２の外部アドレスＥＡ２を取得し、前記電話機１及び前記電話機２の間の通信を識別するため、前記電話番号ＴＮ１及びＴＮ２を用いて電話呼識別子を定め、前記電話呼識別子、前記電話番号ＴＮ１及びＴＮ２を含む接続要求である初期アドレスメッセージを含み、送信元アドレスが前記アドレスＥＡ１，宛先アドレスが前記アドレスＥＡ２である外部ＩＰパケット１を形成して送出し、外部ＩＰパケット１は、前記通信回線１を経て前記網ノード装置１で前記ＩＰ通信レコード１２の管理の基に内部パケットとなって前記ＩＰ転送網を転送され、前記網ノード装置２で前記ＩＰ通信レコード２１の管理の基に前記外部ＩＰパケット１に復元されて前記メディアルータ管理部２に到達し、前記メディアルータ管理部２は前記電話通信接続要求を電話機２へ通知すると共に、アドレス完了メッセージを含む外部ＩＰパケット２を送出し、前記外部ＩＰパケット２は前記通信回線２、前記網ノード装置２、前記ＩＰ転送網、前網ノード装置１、前記通信回線１を経由して前記メディアルータ管理部１へ到達し、
続いてメディアルータ管理部２は、電話機２の呼出中の報告に基づいて、呼出中通知である呼経過メッセージを含む外部ＩＰパケット３を送出し、前記外部ＩＰパケット３は前記ＩＰ転送網を経て前記メディアルータ管理部１へ到達し、前記メディアルータ管理部１は前記呼出中通知を電話機1へ通知し、前記電話機２が呼出しに応答すると、前記メディアルータ管理部２は前記応答通知である応答メッセージを含む外部ＩＰパケット４を送出し、前記外部ＩＰパケット４は前記ＩＰ転送網を経て前記メディアルータ管理部１へ到達し、前記メディアルータ管理部１は前記応答通知を電話機1へ通知し、以上の手順により前記ＩＰ転送網内の内部パケット転送経路が確認され、
前記電話機１から入力した音声はメディアルータ管理部１において送信元アドレスは前記アドレスＥＡ１，宛先アドレスは前記アドレスＥＡ２である外部ＩＰパケット５に格納され，前記外部ＩＰパケット５は前記ＩＰ通信レコード１２の管理の基に内部パケットとなって前記内部パケット転送経路を転送され、前記ＩＰ通信レコード２１の管理の基に前記外部ＩＰパケット５が復元されて前記メディアルータＸ２に到達し、前記外部ＩＰパケット５から復元された音声が電話機２に到達し、
前記端末１又は２から切断要求を受信すると前記メディアルータ管理部１又は２は解放メッセージ，解放完了メッセージを送受して端末間通信が終了し、メディアルータ管理部が、設定済みのＩＰ通信レコード１２及び２１を用いて電話通信の接続制御を行い、端末間通信が終了すると、前記メディアルータ管理部１及び２が前記電話呼識別子、通信時刻、送信元及び宛先電話番号を通信情報として記録することを特徴とするＩＰ転送網を用いた端末間通信接続制御方法。
【請求項６３】
前記網ノード装置の全てがＩＰカプセル化及び逆ＩＰカプセル化技法を採用せず、簡易カプセル化及び簡易逆カプセル化技法を採用している請求項６２に記載のＩＰ転送網を用いた端末間通信接続制御方法。
【請求項６４】
前記電話機１及び２の間の通信を識別する前記電話呼識別子は、前記外部ＩＰパケット１に含まれる前記電話機１の音声を送信するためのメディアポート番号、前記外部アドレスＥＡ１及びＥＡ２を用いて定める請求項６２又は６３に記載のＩＰ転送網を用いた端末間通信接続制御方法。
【請求項６５】
前記メディアルータ管理部１が応答メッセージを含む外部ＩＰパケットを受信した後に、前記メディアルータ管理部２へ応答確認メッセージを含む外部ＩＰパケット送信するようになっている請求項６２又は６３に記載のＩＰ転送網を用いた端末間通信接続制御方法。
【請求項６６】
前記メディアルータ管理部２は、アドレス完了メッセージ含む外部ＩＰパケットを形成して前記メディアルータ管理部１へ送信しないようになっている請求項６２又は６３に記載のＩＰ転送網を用いた端末間通信接続制御方法。
【請求項６７】
端末間通信が終了時に、前記メディアルータ管理部１及び２が前記回線識別番号、通信時刻、送信元及び宛先電話番号を通信情報として記録しないようになっている請求項６２又は６３に記載のＩＰ転送網を用いた端末間通信接続制御方法。
【請求項６８】
前記ＩＰ転送網は網ノード装置３を含み、外部アドレスＡ１及びＡ３である端末Ａ１及びＡ３を通信回線を経て前記網ノード装置１及び３に接続され、前記網ノード装置１及び３にＩＰ通信レコード１３及びＩＰ通信レコード３１を設定し、前記端末Ａ１が送信元外部アドレスＡ１，宛先外部アドレスＡ３である外部ＩＰパケットを送出すると、前記外部ＩＰパケットは前記網ノード装置１の前記ＩＰ通信レコード１３の管理の基に内部パケットとなって前記ＩＰ転送網を転送され、網ノード装置３において前記ＩＰ通信レコード３１の管理の基に前記外部ＩＰパケットが復元されて前記端末Ａ３に到達するようになっており、前記端末Ａ１及び端末Ａ３との間で電話番号を用いずＩＰパケットを送受する通信が可能である請求項６２又は６３に記載のＩＰ転送網を用いた端末間通信接続制御方法。
【請求項６９】
ＩＰ転送網Ａは網ノード装置１、接続サーバ１、電話番号サーバ１及び中継ゲートウェイ２を含み、ＩＰ転送網Ｂは中継ゲートウェイ３、網ノード装置４、接続サーバ４及び電話番号サーバ４を含み、前記網ノード装置の全てがＩＰカプセル化及び逆ＩＰカプセル化技法により外部ＩＰパケットと内部パケットとの間の変換方法を規定する複数ＩＰ通信レコードで成るアドレス管理表を含み、前記中継ゲートウェイ２及び３は中継接続サーバ２及び３、電話番号サーバ２及び３を含み、ＩＰ通信回線Ｘで相互に接続され、網ノード装置１及び４にはそれぞれＩＰ通信レコード９１及び９４が設定されており、前記接続サーバ１及び４はそれぞれＣＩＣ管理表1及び４を有し、前記中継接続サーバ２及び３はそれぞれＣＩＣ管理表２及び３を有し、前記端末１及び４はそれぞれ通信回線１及び４を経て前記網ノード装置１及び４に接続され、前記端末１及び４の電話番号はそれぞれＴＮ１及びＴＮ４、外部アドレスはそれぞれＥＡ１及びＥＡ４であり、
前記端末１が電話番号を用いて端末４と通信するため、送信元電話番号ＴＮ１、宛先電話番号ＴＮ４、前記端末１の外部アドレスＥＡ１を含む接続要求外部ＩＰパケットを前記接続サーバ１に向けて送信し、前記接続要求外部ＩＰパケットは前記ＩＰ通信レコード９１の管理の基に内部パケットとなって前記接続サーバ１に到達し、前記接続サーバ１は前記端末１と前記端末４との間の通信を識別するため、前記電話番号ＴＮ１及び前記電話番号ＴＮ４を用いて回線識別番号ＣＩＣＷを定め、更に接続サーバ１は前記電話番号ＴＮ４を前記電話番号サーバ１に提示して、前記端末４の接続制御を担う中継接続サーバ２の内部アドレスＩＡ９２を取得し、前記ＣＩＣ管理表１に手順区分ＩＡＭ、前記回線識別番号ＣＩＣＷ、前記電話番号ＴＮ１、ＴＮ４及び外部アドレスＥＡ１を書込み、続いて手順区分ＩＡＭ、前記回線識別番号ＣＩＣＷ、前記電話番号ＴＮ１及びＴＮ４，前記外部アドレスＥＡ１及び前記接続サーバ１の内部アドレスＩＡ９１を含み前記内部アドレスＩＡ９２を宛先とする初期アドレスメッセージを形成して送信し、
中継接続サーバ２は受信した前記初期アドレスメッセージ内の前記電話番号ＴＮ４を前記電話番号サーバ２に提示し、前記端末４の接続制御を分担して担う中継接続サーバ３の内部アドレスＩＡ９３を取得し、次に前記初期アドレスメッセージの少なくとも宛先アドレスを前記ＩＡ９３に書換えて送信し、中継接続サーバ３は受信した前記初期アドレスメッセージ内の前記電話番号ＴＮ４を前記電話番号サーバ３に提示し、前記端末４の接続制御を分担して担う接続サーバ４の内部アドレスＩＡ９４を取得し、次に前記初期アドレスメッセージの少なくとも宛先アドレスを前記内部アドレスＩＡ９４に書換えて送信し、前記接続サーバ４は受信した前記初期アドレスメッセージの内容を前記ＣＩＣ管理表４に記録し、更に前記電話番号ＴＮ４を前記電話番号サーバ４に提示して前記端末４の外部アドレスＥＡ４を取得して前記ＣＩＣ管理表４に記録し、前記接続要求に基づく少なくとも接続要求通知を含む内部パケットを形成して前記端末４に向けて送出し、更に送信元外部アドレスＥＡ１及び送信元電話番号ＴＮ１の少なくとも一方を前記端末４に向けて送出することも可能であり、
前記内部パケットは前記ＩＰ通信レコード９４の管理の基に接続要求通知を含む外部ＩＰパケットとなって前記端末４に到達し、前記端末４は少なくとも前記接続要求通知を取得し、
前記接続サーバ４は、少なくとも宛先アドレスが前記内部アドレスＩＡ９３であり回線識別番号ＣＩＣＷであるアドレス完了メッセージを形成して送信し、前記アドレス完了メッセージは前記中継接続サーバ３、前記中継接続サーバ２を通過する都度、少なくとも宛先アドレスが書換えられて前記接続サーバ１に到達し、前記端末４は呼出中通知を含む外部ＩＰパケットを形成し、前記外部ＩＰパケットは内部パケットとなって前記接続サーバ４に到達し、前記接続サーバ４は宛先アドレスが前記内部アドレスＩＡ９３であり、呼出中を含む呼経過メッセージを形成して送信し、前記呼経過メッセージは前記中継接続サーバ３、前記中継接続サーバ２を通過する都度、少なくとも宛先アドレスが書換えられて前記接続サーバ１に到達し、前記接続サーバ１は前記呼出中を含む内部パケットを送出し、呼出中を含む外部ＩＰパケットが前記端末１に到達し、次に前記端末４が呼出しに応答すると、前記端末４は応答通知を含む外部ＩＰパケットを形成し、前記外部ＩＰパケットは内部パケットとなって前記接続サーバ４に到達し、前記接続サーバ４は宛先アドレスが前記内部アドレスＩＡ９３であり前記応答通知及び前記端末４の外部アドレスＥＡ４を含む応答メッセージを形成して送信し、前記応答メッセージは前記中継接続サーバ３、前記中継接続サーバ２を通過する都度、少なくとも宛先アドレスが書換えられて前記接続サーバ１に到達し、前記接続サーバ１は前記応答及び前記外部アドレスＥＡ４を含む内部パケットを送出し、呼出中及び前記外部アドレスＥＡ４を含む外部ＩＰパケットが前記端末１に到達し、前記端末１は応答通知及び前記外部アドレスＥＡ４を取得し、
前記接続サーバ４は、前記外部アドレスＥＡ４及びＥＡ１を含むＩＰ通信レコード４を前記網ノード装置４内に設定し、前記接続サーバ１は前記外部アドレスＥＡ１及びＥＡ４を含むＩＰ通信レコード１を前記網ノード装置１内に設定することにより、前記ＩＰ通信レコード１及び４によって表わす前記ＩＰ転送網Ａ及びＢ内のメディア通信路が定まり、次に通信フェーズとなり、前記端末１が送信した外部ＩＰパケットは前記網ノード装置１に入力し、前記ＩＰ通信レコード１の管理の基に内部パケットとなり、前記内部パケットは前記メディア通信路を転送されて前記網ノード装置４に到達し、前記ＩＰ通信レコード４の管理の基に前記外部ＩＰパケットが復元され、復元された前記外部ＩＰパケットは端末４に到達し、
前記接続サーバ１及び４は、端末１又は４の切断要求に基づいて解放メッセージ及び解放完了メッセージを送受して前記通信レコード１及び４の抹消を指示し、２つのＩＰ転送網を経由する電話番号を用いた端末間通信において、２つのＩＰ転送網に属するそれぞれの接続サーバ及び中継接続サーバとが連携して接続制御を行い、２つのＩＰ転送網を通過するメディア通信路を設定することを特徴とするＩＰ転送網を用いた端末間通信接続制御方法。
【請求項７０】
ＩＰ転送網Ａは網ノード装置１、接続サーバ１、電話番号サーバ１及び中継ゲートウェイ２を含み、ＩＰ転送網Ｂは中継ゲートウェイ３、網ノード装置４、接続サーバ４及び電話番号サーバ４を含み、前記網ノード装置１及び４は、ＩＰカプセル化及び逆ＩＰカプセル化技法により外部ＩＰパケットと内部パケットとの間の変換方法を規定する複数ＩＰ通信レコードで成るアドレス管理表を含み、前記中継ゲートウェイ２及び３はＩＰ通信回線Ｘで相互に接続されており、前記網ノード装置１及び４にはそれぞれＩＰ通信レコード９１及び９４が設定されており、前記接続サーバ１及び４はそれぞれＣＩＣ管理表1及び４を有し、前記端末１及び４はそれぞれ通信回線１及び４を経て前記網ノード装置１及び４に接続され、前記端末１及び４の電話番号はそれぞれＴＮ１及びＴＮ４であり、前記端末１及び４の外部アドレスはそれぞれＥＡ１及びＥＡ４であり、
前記端末１が電話番号を用いて前記端末４と通信するため、送信元電話番号ＴＮ１、宛先電話番号ＴＮ４、前記端末１の外部アドレスＥＡ１を含む接続要求外部ＩＰパケットを前記接続サーバ１に向けて送信し、前記接続要求外部ＩＰパケットは前記ＩＰ通信レコード９１の管理の基に内部パケットとなって前記接続サーバ１に到達し、前記接続サーバ１は前記端末１と前記端末４との間の通信を識別するため、前記電話番号ＴＮ１及び前記電話番号ＴＮ４を用いて回線識別番号ＣＩＣＷを定め、更に接続サーバ１は前記電話番号ＴＮ４を前記電話番号サーバ１に提示し、前記端末４の接続制御を行う接続サーバ４の内部アドレスＩＡ９４を取得し、前記ＣＩＣ管理表１に手順区分ＩＡＭ、前記回線識別番号ＣＩＣＷ、前記電話番号ＴＮ１及びＴＮ４、前記外部アドレスＥＡ１を書込み、
手順区分ＩＡＭ、前記回線識別番号ＣＩＣＷ、前記電話番号ＴＮ１及びＴＮ４，前記外部アドレスＥＡ１、前記接続サーバ１の内部アドレスＩＡ９１を含み、前記内部アドレスＩＡ９４を宛先とする初期アドレスメッセージを形成して送信し、前記初期アドレスメッセージは前記ＩＰ通信回線Ｘを経由して前記接続サーバ４に到達し、前記接続サーバ４は受信した前記初期アドレスメッセージの内容を前記ＣＩＣ管理表４に記録し、前記電話番号ＴＮ４を前記電話番号サーバ４に提示して前記端末４の外部アドレスＥＡ４を取得して前記ＣＩＣ管理表４に記録し、前記接続要求に基づく少なくとも接続要求通知を含む内部パケットを形成して前記端末４に向けて送出し、更に送信元外部アドレスＥＡ１及び送信元電話番号ＴＮ１の少なくとも一方を前記端末４に向けて送出することも可能であり、前記内部パケットは前記ＩＰ通信レコード９４の管理の基に接続要求通知を含む外部ＩＰパケットとなって前記端末４に到達し、前記端末４は少なくとも前記接続要求通知を取得し、
前記接続サーバ４は前記回線識別番号ＣＩＣＷのアドレス完了メッセージを形成して前記接続サーバ１に返信し、前記接続サーバ１は前記アドレス完了メッセージを受信し、前記端末４は前記接続要求通知を受信すると呼出中通知を含む外部ＩＰパケットを形成し、前記外部ＩＰパケットは前記網ノード装置４において内部パケットとなって前記接続サーバ４に到達し、前記接続サーバ４は前記呼出中通知を含む呼経過メッセージを形成して前記接続サーバ１に送信し、前記呼経過メッセージは前記接続サーバ１に到達し、前記接続サーバ１は前記呼出中通知を含む内部パケットを送出し、呼出中通知を含む外部ＩＰパケットが前記端末１に到達し、
次に前記端末４が呼出しに応答すると、前記端末４は応答を知らせる応答通知を含む外部ＩＰパケットを形成し、前記外部ＩＰパケットは内部パケットとなって前記接続サーバ４に到達し、前記接続サーバ４は前記応答通知及び前記端末４の外部アドレスＥＡ４を含む応答メッセージを形成し、前記応答メッセージを前記接続サーバ１へ送信し、前記応答メッセージは前記接続サーバ１に到達し、前記接続サーバ１は前記端末４の外部アドレスＥＡ４を前記ＣＩＣＩ管理表１に記録し、更に前記応答通知及び前記外部アドレスＥＡ４を含む内部パケットを形成して送出し、前記内部パケットは応答通知、前記外部アドレスＥＡ４を含む外部ＩＰパケットとなって前記端末１に到達し、前記端末１は応答通知及び前記外部アドレスＥＡ４を取得し、前記接続サーバ４は前記外部アドレスＥＡ４及びＥＡ１を含むＩＰ通信レコード４を前記網ノード装置４内に設定し、前記接続サーバ１は前記外部アドレスＥＡ１及びＥＡ４を含むＩＰ通信レコード１を前記網ノード装置１内に設定することにより、前記ＩＰ通信レコード１及び４によって表わす前記ＩＰ転送網Ａ及びＢ内のメディア通信路が定まり、
次に通信フェーズとなり、前記端末１が送信した外部ＩＰパケットは前記網ノード装置１に入力し、前記ＩＰ通信レコード１の管理の基に内部パケットとなり、前記内部パケットは前記メディア通信路を転送されて前記網ノード装置４に到達し、前記ＩＰ通信レコード４の管理の基に前記外部ＩＰパケットが復元され、復元された前記外部ＩＰパケットは端末４に到達し、
前記接続サーバ１及び４は、端末１乃至端末４の切断要求に基づいて解放メッセージ及び解放完了メッセージを送受して前記通信レコード１及び４の抹消を指示し、２つのＩＰ転送網を経由する電話番号を用いた端末間通信において、２つのＩＰ転送網に属するそれぞれの接続サーバが連携して接続制御を行い、２つのＩＰ転送網を通過するメディア通信路を設定することを特徴とするＩＰ転送網を用いた端末間通信接続制御方法。
【請求項７１】
前記網ノード装置の全てがＩＰカプセル化及び逆ＩＰカプセル化技法を採用せず、簡易カプセル化及び簡易逆カプセル化技法採用している請求項６９又は７０に記載のＩＰ転送網を用いた端末間通信接続制御方法。
【請求項７２】
端末間通信が終了すると、前記接続サーバ１及び４は前記回線識別番号、通信時刻、送信元及び宛先電話番号を課金情報として記録する請求項６９乃至７１に記載のＩＰ転送網を用いた端末間通信接続制御方法。
【請求項７３】
端末間通信が終了すると、前記中継接続サーバ２及び３の少なくとも一方は前記回線識別番号、通信時刻、送信元及び宛先電話番号を通信情報として記録する請求項６９又は７１に記載のＩＰ転送網を用いた端末間通信接続制御方法。
【請求項７４】
ＩＰ転送網は網ノード装置１、接続サーバ１、電話番号サーバ１、網ノード装置２及び中継ゲートウェイを含み、前記中継ゲートウェイは中継制御部、音声制御部を含み、前記中継制御部は電話番号サーバ２を含み、端末１は通信回線経由で網ノード装置１に接続され、前記網ノード装置１及び２は、ＩＰカプセル化及び逆ＩＰカプセル化技法により外部ＩＰパケットと内部パケットとの間の変換方法を規定する複数ＩＰ通信レコードで成るアドレス管理表を含み、前記ＩＰ転送網はＮＮＩ通信回線を経て公衆交換電話網に接続され、電話機３は前記公衆交換電話網の交換機３に接続され、前記ＮＮＩ通信回線はＮＮＩ制御通信回線及びＮＮＩ音声通信回線で成り、前記中継制御部は前記ＮＮＩ制御通信回線に接続され、前記音声制御部は前記ＮＮＩ音声通信回線に接続され、前記中継制御部は、前記ＩＰ転送網内の接続制御メッセージと前記公衆交換電話網内の接続制御メッセージを格納する信号ユニットとを電気信号レベルで双方向に変換する機能、前記接続サーバ１と連携して行う端末間通信接続制御の機能、及び前記電話番号サーバ２により実施する機能を有し、前記音声制御部は音声を格納する外部ＩＰパケットと前記公衆電話交換網を伝送される音声フレームとを双方向に変換する機能を有すると共に、メディアパス接続表２を有し、前記接続サーバ１及び前記中継制御部はそれぞれＣＩＣ管理表１及び２を有し、前記中継制御部は更にアドレス接続表２を有し、前記網ノード装置１にはＩＰ通信レコード９１が設定されており、
前記端末１は電話番号を用いて前記電話機３に接続するため、送信元電話番号ＴＮ１、宛先電話番号ＴＮ３、端末１の外部アドレスＥＡ１，端末１のメディアポート番号ＰＮ１を含む接続要求外部ＩＰパケットを前記接続サーバ１に向けて送信し、前記外部ＩＰパケットは、前記ＩＰ通信レコード９１の管理の基に前記接続要求を含む内部パケットとなって前記接続サーバ１に到達し、
前記接続サーバ１は前記端末１及び電話機３の間の通信を識別するため、前記内部パケットから取得した前記電話番号ＴＮ１、前記電話番号ＴＮ３を用いて回線識別番号ＣＩＣＰを定め、手順区分ＩＡＭ及び前記回線識別番号ＣＩＣＰ、前記電話番号ＴＮ１及びＴＮ３を前記ＣＩＣ管理表１に書込み、更に前記接続サーバ１は前記電話番号ＴＮ３を前記電話番号サーバ１に提示して、前記電話機３側の接続制御を実施する前記中継制御部の内部アドレスＧＷ９２を取得し、前記ＣＩＣ管理表１に前記外部アドレスＥＡ１及び前記内部アドレスＧＷ９２を書込み、前記接続サーバ１は前記手順区分ＩＡＭ、前記回線識別番号ＣＩＣＰ、前記電話番号ＴＮ１及びＴＮ３，前記外部アドレスＥＡ１、前記メディアポート番号ＰＮ１、前記接続サーバ１の内部アドレスＩＡ９１を含み、前記内部アドレスＧＷ９２を宛先アドレスとする初期アドレスメッセージを形成して送出し、前記中継制御部は受信した前記初期アドレスメッセージの内容を前記ＣＩＣ管理表２に記録し、前記メディアポート番号ＰＮ１の記録を省略でき、
前記中継制御部は前記電話番号ＴＮ３を前記電話番号サーバ２に提示して前記交換機３の信号局アドレスＰＣ３を取得し、前記公衆交換電話網と同じルールにより回線識別番号ＣＩＣＱを定め、続いて前記回線識別番号ＣＩＣＰ、前記回線識別番号ＣＩＣＱ、前記中継制御部に付与されている信号局アドレスＰＣ２、前記交換機３の信号局アドレスＰＣ３及びメディアパス識別子ＭＰ３の組を前記アドレス接続表２のレコードＡ３として書込み、次に前記中継制御部は前記信号局アドレスＰＣ２、前記信号局アドレスＰＣ３、前記回線識別番号ＣＩＣＱ、手順区分ＩＡＭ、前記送信元電話番号ＴＮ１、前記宛先電話番号ＴＮ３を含み、宛先アドレスを前記信号局アドレスＰＣ３とした初期アドレスメッセージを含む信号ユニット１を形成して、前記ＮＮＩ制御通信回線を経て前記公衆交換電話網へ送信し、前記中継制御部は前記メディアパス識別子ＭＰ３、前記外部アドレスＥＡ１及び前記メディアポート番号ＰＮ１の組を前記音声制御部に通知すると、前記音声制御部は、前記電話機３の音声を送信する外部ＩＰパケットの送信元外部アドレスＥＡ３及び送信元メディアポート番号ＰＮ３を定め、前記外部アドレスＥＡ３を前記中継制御部に通知し、前記中継制御部は前記外部アドレスＥＡ３を前記ＣＩＣ管理表２に書込み、前記音声制御部は前記メディアパス接続表２のレコードＭ３として、前記メディアパス識別子ＭＰ３、前記外部アドレスＥＡ１、前記メディアポート番号ＰＮ１、前記外部アドレスＥＡ３及び前記メディアポート番号ＰＮ３の組を前記メディアパス接続表２のレコードＭ３内に保持し、前記交換機３は前記信号ユニット１を受信すると、宛先アドレスを前記中継制御部の前記信号局アドレスＰＣ２としたアドレス完了メッセージを含む信号ユニット２を返信し、前記信号ユニット２は前記中継制御部に到達し、
前記中継制御部は前記信号ユニット２から前記ＣＩＣＱを取り出し、前記アドレス接続表２から前記回線識別番号ＣＩＣＱに対応する前記回線識別番号ＣＩＣＰを取り出し、手順区分ＡＣＭ及び前記回線識別番号ＣＩＣＰを含むアドレス完了メッセージを形成して前記接続サーバ１へ送信し、前記接続サーバ１は前記アドレス完了メッセージを受信し、前記電話機３が電話呼出中を報告すると前記交換機３は前記電話呼出中を通知する呼経過メッセージを含む信号ユニット３を送出し、前記中継制御部は、受信した前記信号ユニット３を基に手順区分ＣＰＧ、前記回線識別番号ＣＩＣＰ、前記呼出中通知を含む呼経過メッセージを形成して前記接続サーバ１へ送信し、前記接続サーバ１は呼出中通知を含む内部パケットを生成して送出し、前記呼出中通知を含む外部ＩＰパケットが前記端末１に到達し、前記電話機３の利用者が電話呼出しに応答し、応答を知らせる応答メッセージを含む信号ユニット４が送信され、前記中継制御部は、受信した前記信号ユニット４を基に前記外部アドレスＥＡ３及び前記メディアポート番号ＰＮ３を含む応答メッセージを形成して送出し、前記接続サーバ１は前記応答メッセージを受信し、前記ＣＩＣ管理表１に前記外部アドレスＥＡ３を書込み、前記応答通知、前記外部アドレスＥＡ３及び前記メディアポート番号ＰＮ３を含む内部パケットを送出し、応答通知を含む外部ＩＰパケットが前記端末１に到達し、前記端末１は応答通知、前記外部アドレスＥＡ３及び前記メディアポート番号ＰＮ３を取得し、
前記中継制御部は前記外部アドレスＥＡ３及びＥＡ１を含むＩＰ通信レコードＲ３を前記網ノード装置２に設定し、前記中継接続サーバ１は、前記外部アドレスＥＡ１及びＥＡ３を含むＩＰ通信レコードＲ１を前記網ノード装置１に設定することにより、前記ＩＰ通信レコードＲ１及びＲ３によって表わす前記ＩＰ転送内のメディア通信路が定まり、次に通信フェーズとなり、前記端末１が送信した音声外部ＩＰパケットが前記網ノード装置１に入力し、前記ＩＰ通信レコードＲ１の管理の基に内部パケットとなり、前記内部パケットは前記メディア通信路を転送されて網ノード装置２に到達して前記外部ＩＰパケットが復元され、前記外部ＩＰパケットが前記音声制御部に送られ、前記音声制御部において、前記メディアパス接続表２の前記レコードＭ３が用いられて前記音声外部ＩＰパケットが音声フレームとなり、前記公衆電話交換網を伝送されて前記電話機３に到達し、電話音声通信が終了し、
前記端末１から前記接続サーバ１へ電話通信の切断要求が送信され、前記接続サーバ１から前記中継制御部へ解放メッセージが送信され、前記中継制御部は前記アドレス接続表２の前記レコードＡ３を用いて、解放メッセージを含む信号ユニット５を生成して前記公衆交換電話網へ送出し、続いて前記接続サーバ１へ解放完了メッセージを返信し、前記ＩＰ通信レコードＲ１及びＲ３が抹消され、前記ＩＰ転送網と前記公衆電話交換網を前記中継ゲートウェイにより接続し、前記ＩＰ転送網内の中継サーバと前記中継制御部とが公衆電話交換網と通信接続制御の連携動作を行い、音声制御部内のメディアパス接続表を用いて音声外部ＩＰパケットと公衆電話交換網内の音声フレームとの相互変換を行うことを特徴とするＩＰ転送網を用いた端末間通信接続制御方法。
【請求項７５】
前記中継制御部から、まず前記電話番号サーバ２を撤去し、次に前記中継制御部から前記電話番号サーバ２を除いた部分について、接続制御に関連する部分と接続制御に関連しない部分とに分け、前記中継ゲートウェイを撤去して新たな中継ゲートウェイ２Ｘを設置し、前記中継ゲートウェイ２Ｘは新たな中継制御部２Ｘ、新たな中継接続サーバ２Ｘ、新たな電話番号サーバ２Ｘ、新たな前記音声制御部２Ｘを含み、前記中継制御部２Ｘは、前記ＩＰ転送網内の接続制御メッセージと前記公衆交換電話網内の接続制御メッセージを格納する信号ユニットとを電気信号レベルで双方向に変換する機能を実施し、前記中継接続サーバ２Ｘは、前記中継制御部の有する機能から前記電話番号サーバ２及び前記中継制御部２Ｘの機能を除いた接続制御機能を実施し、前記内部アドレスＧＷ９２及び交換機としての前記信号局アドレスＰＣ２を付与され、前記電話番号サーバ２Ｘは前記電話番号サーバ２と同等機能を実施し、前記音声制御部２Ｘは前記音声制御部２と同等機能を実施する請求項７４に記載のＩＰ転送網を用いた端末間通信接続制御方法。
【請求項７６】
ＩＰ転送網は網ノード装置１、接続サーバ１、電話番号サーバ１、網ノード装置２及び中継ゲートウェイ２を含み、前記中継ゲートウェイ２は中継制御部２、中継接続サーバ２、電話番号サーバ２、音声制御部２を含み、端末１は通信回線経由で網ノード装置１に接続され、前記網ノード装置１及び２は、ＩＰカプセル化及び逆ＩＰカプセル化技法により外部ＩＰパケットと内部パケットとの間の変換方法を規定する複数ＩＰ通信レコードで成るアドレス管理表を含み、前記ＩＰ転送網はＮＮＩ通信回線を経て公衆交換電話網に接続され、電話機３は前記公衆交換電話網の交換機３に接続され、前記ＮＮＩ通信回線はＮＮＩ制御通信回線及びＮＮＩ音声通信回線で成り、前記中継制御部は前記ＮＮＩ制御通信回線に接続され、前記音声制御部２は前記ＮＮＩ音声通信回線に接続され、前記中継制御部は、前記ＩＰ転送網内の接続制御メッセージと前記公衆交換電話網内の接続制御メッセージを格納する信号ユニットとを電気信号レベルで双方向に変換する機能を有し、
前記音声制御部２は音声を格納する外部ＩＰパケットと前記公衆電話交換網を伝送される音声フレームとを双方向に変換する機能を有すると共に、メディアパス接続表２を有し、前記接続サーバ１及び前記中継接続サーバ２はそれぞれＣＩＣ管理表１及び２を有し、前記中継接続サーバ２は更にアドレス接続表２を有し、前記網ノード装置１にはＩＰ通信レコード９１が設定されており、前記端末１は電話番号を用いて前記電話機３に接続するため、送信元電話番号ＴＮ１、宛先電話番号ＴＮ３、端末１の外部アドレスＥＡ１，端末１のメディアポート番号ＰＮ１を含む接続要求外部ＩＰパケットを前記接続サーバ１に向けて送信し、前記外部ＩＰパケットは、前記ＩＰ通信レコード９１の管理の基に前記接続要求を含む内部パケットとなって前記接続サーバ１に到達し、
前記接続サーバ１は前記端末１及び電話機３の間の通信を識別するため前記内部パケットから取得した前記電話番号ＴＮ１、前記電話番号ＴＮ３を用いて回線識別番号ＣＩＣＰを定め、手順区分ＩＡＭ及び前記回線識別番号ＣＩＣＰ、前記電話番号ＴＮ１及びＴＮ３を前記ＣＩＣ管理表１に書込み、前記接続サーバ１は前記電話番号ＴＮ３を前記電話番号サーバ１に提示して、前記電話機３側の接続制御を実施する前記中継接続サーバ２の内部アドレスＧＷ９２を取得し、前記ＣＩＣ管理表１に前記外部アドレスＥＡ１及び前記内部アドレスＧＷ９２を書込み、
次に前記接続サーバ１は、前記手順区分ＩＡＭ、前記回線識別番号ＣＩＣＰ、前記電話番号ＴＮ１及びＴＮ３，前記外部アドレスＥＡ１、前記メディアポート番号ＰＮ１、前記接続サーバ１の内部アドレスＩＡ９１を含み、前記内部アドレスＧＷ９２を宛先アドレスとする初期アドレスメッセージを形成して送出し、前記中継接続サーバ２は、受信した前記初期アドレスメッセージの内容を前記ＣＩＣ管理表２に記録し、前記メディアポート番号ＰＮ１の記録を省略でき、前記中継接続サーバ２は前記電話番号ＴＮ３を前記電話番号サーバ２に提示して、前記交換機３の信号局アドレスＰＣ３を取得し、前記公衆交換電話網と同じルールにより回線識別番号ＣＩＣＱを定め、前記回線識別番号ＣＩＣＰ、前記回線識別番号ＣＩＣＱ、前記中継接続サーバ２に付与されている信号局アドレスＰＣ２、前記交換機３の信号局アドレスＰＣ３及びメディアパス識別子ＭＰ３の組を前記アドレス接続表２のレコードＡ３として書込み、次に前記中継接続サーバ２は、前記信号局アドレスＰＣ２、前記信号局アドレスＰＣ３、前記回線識別番号ＣＩＣＱ、手順区分ＩＡＭ、前記送信元電話番号ＴＮ１、前記宛先電話番号ＴＮ３を含み、宛先アドレスを前記信号局アドレスＰＣ３とした初期アドレスメッセージを含む信号ユニット１を形成して前記ＮＮＩ制御通信回線を経て前記公衆交換電話網へ送信し、前記中継接続サーバ２は前記メディアパス識別子ＭＰ３、前記外部アドレスＥＡ１及び前記メディアポート番号ＰＮ１の組を前記音声制御部２に通知すると、前記音声制御部２は前記電話機３の音声を送信する外部ＩＰパケットの送信元外部アドレスＥＡ３及び送信元メディアポート番号ＰＮ３を定め、前記外部アドレスＥＡ３を前記中継接続サーバ２に通知し、前記中継接続サーバ２は前記外部アドレスＥＡ３を前記ＣＩＣ管理表２に書込み、
前記音声制御部２は前記メディアパス接続表２のレコードＭ３として、前記メディアパス識別子ＭＰ３、前記外部アドレスＥＡ１、前記メディアポート番号ＰＮ１、前記外部アドレスＥＡ３及び前記メディアポート番号ＰＮ３の組を前記メディアパス接続表２のレコードＭ３内に保持し、前記交換機３は前記信号ユニット１を受信すると、宛先アドレスを前記中継接続サーバ２の前記信号局アドレスＰＣ２としたアドレス完了メッセージを含む信号ユニット２を返信し、前記信号ユニット２は前記中継接続サーバ２に到達し、前記中継接続サーバ２は前記信号ユニット２から前記ＣＩＣＱを取り出し、前記アドレス接続表２から前記ＣＩＣＱに対応する前記ＣＩＣＰを取り出し、手順区分ＡＣＭ及び前記ＣＩＣＰを含むアドレス完了メッセージを形成して前記接続サーバ１へ送信し、前記接続サーバ１は前記アドレス完了メッセージを受信し、前記電話機３が電話呼出中を報告すると、前記交換機３は前記電話呼出中を通知する呼経過メッセージを含む信号ユニット３を送出し、前記中継接続サーバ２は、受信した前記信号ユニット３を基に手順区分ＣＰＧ、前記回線識別番号ＣＩＣＰ、前記呼出中通知を含む呼経過メッセージを形成して前記接続サーバ１へ送信し、前記接続サーバ１は呼出中通知を含む内部パケットを生成して送出し、前記呼出中通知を含む外部ＩＰパケットが前記端末１に到達し、
前記電話機３の利用者が電話呼出しに応答し、応答を知らせる応答メッセージを含む信号ユニット４が送信され、前記中継接続サーバ２は、受信した前記信号ユニット４を基に前記外部アドレスＥＡ３及び前記メディアポート番号ＰＮ３を含む応答メッセージを形成して送出し、前記接続サーバ１は前記応答メッセージを受信し、前記ＣＩＣ管理表１に前記外部アドレスＥＡ３を書込み、前記応答通知、前記外部アドレスＥＡ３及び前記メディアポート番号ＰＮ３を含む内部パケットを送出し、応答通知を含む外部ＩＰパケットが前記端末１に到達し、前記端末１は応答通知、前記外部アドレスＥＡ３及び前記メディアポート番号ＰＮ３を取得し、前記中継接続サーバ２は、前記外部アドレスＥＡ３及びＥＡ１を含むＩＰ通信レコードＲ３を前記網ノード装置２に設定し、前記中継接続サーバ１は、前記外部アドレスＥＡ１及びＥＡ３を含むＩＰ通信レコードＲ１を前記網ノード装置１に設定することにより、前記ＩＰ通信レコードＲ１及びＲ３によって表わす前記ＩＰ転送内のメディア通信路が定まり、
次に通信フェーズとなり、端末１が送信した音声外部ＩＰパケットが網ノード装置１に入力し、前記ＩＰ通信レコードＲ１の管理の基に内部パケットとなり、前記内部パケットは前記メディア通信路を転送されて網ノード装置２に到達して前記外部ＩＰパケットが復元され、前記外部ＩＰパケットが前記音声制御部２に送られ、前記音声制御部２において、前記メディアパス接続表２の前記レコードＭ３が用いられて前記音声外部ＩＰパケットが音声フレームとなり、前記公衆電話交換網を伝送されて前記電話機３に到達し、電話音声通信が終了し、
前記端末１から接続サーバ１へ電話通信の切断要求が送信され、前記接続サーバ１から前記中継接続サーバ２へ解放メッセージが送信され、前記中継接続サーバ２は前記アドレス接続表２の前記レコードＡ３を用いて、解放メッセージを含む信号ユニット５を生成して前記公衆交換電話網へ送出し、前記接続サーバ１へ解放完了メッセージを返信し、前記ＩＰ通信レコードＲ１及びＲ３が抹消され、ＩＰ転送網と公衆電話交換網を中継ゲートウェイにより接続し、ＩＰ転送網内の中継サーバと中継接続サーバとが公衆電話交換網と通信接続制御の連携動作を行い、音声制御部２内のメディアパス接続表を用いて、音声外部ＩＰパケットと公衆電話交換網内の音声フレームとの相互変換を行うことを特徴とするＩＰ転送網を用いた端末間通信接続制御方法。
【請求項７７】
前記網ノード装置の全てがＩＰカプセル化及び逆ＩＰカプセル化技法を採用せず、簡易カプセル化及び簡易逆カプセル化技法を採用している請求項７６に記載のＩＰ転送網を用いた端末間通信接続制御方法。
【請求項７８】
前記接続サーバ１が応答メッセージを受信した後に前記中継接続サーバ２へ応答確認メッセージを送信するようになっている請求項７６又は７７に記載のＩＰ転送網を用いた端末間通信接続制御方法。
【請求項７９】
前記公衆交換電話網から前記ＩＰ転送網に向けてアドレス完了メッセージを含む信号ユニットＡＣＭを送信しないことが予め定めてあり、前記中継接続サーバ２は、前記回線識別番号ＣＩＣＰを含むアドレス完了メッセージを前記接続サーバ１へ送信しないようになっている請求項７６又は７７に記載のＩＰ転送網を用いた端末間通信接続制御方法。
【請求項８０】
前記接続サーバ１及び中継接続サーバ２は前記接続制御メッセージに書込むとき、前記ＣＩＣ管理表１及び２にそれぞれ時刻を書込み、電話機間通信が終了すると、前記回線識別番号ＣＩＣＰ、通信時刻、送信元電話番号及び宛先電話番号を課金情報として記録する請求項７６又は７７に記載のＩＰ転送網を用いた端末間通信接続制御方法。
【請求項８１】
前記端末１から前記接続サーバ１に向けて送出される前記接続要求外部ＩＰパケットの送信元外部アドレスは前記端末１の外部アドレスＥＡ１であり、宛先外部アドレスは前記接続サーバ１の外部アドレスＥＡ９１であり、前記外部ＩＰパケットが前記ＩＰ通信レコード９１の管理の基に変換された内部パケットの宛先アドレスは前記接続サーバ１の内部アドレスＩＡ９１であり、前記通信フェーズにおいて、前記端末１が前記電話機３に向けて送信した外部ＩＰパケットの送信元外部アドレスは前記外部アドレスＥＡ１、宛先外部アドレスは前記外部アドレスＥＡ３、送信メディアポート番号はＰＮ１，受信メディアポート番号はＰＮ３である請求項７６又は７７に記載のＩＰ転送網を用いた端末間通信接続制御方法。
【請求項８２】
前記端末１が電話通信機能を有している請求項７６又は７７に記載のＩＰ転送網を用いた端末間通信接続制御方法。
【請求項８３】
前記網ノード装置の全てが簡易カプセル化と簡易逆カプセル化、ＩＰカプセル化と逆カプセル化を行わず、前記網ノード装置内のＩＰ通信レコード内のアドレスを含む外部ＩＰパケットのみを通過させるようになっている請求項７６又は７７に記載のＩＰ転送網を用いた端末間通信接続制御方法。
【請求項８４】
前記端末２のメディアポート番号ＰＮ２を前記端末１に送信する手順を省いており、前記端末１は予め定めてある前記端末２のメディアポート番号ＰＮ２を用いるようになっている請求項７６又は７７に記載のＩＰ転送網を用いた端末間通信接続制御方法。
【請求項８５】
前記端末１のメディアポート番号ＰＮ１を前記端末２に送信する手順を省いており、前記音声制御部２が前記メディアパス接続表２の該当レコードに予め定めてあるポートに前記メディアポート番号ＰＮ１を書込むようになっている前記請求項７６又は７７に記載のＩＰ転送網を用いた端末間通信接続制御方法。
【請求項８６】
ＩＰ転送網は終端ゲートウェイ１及び中継ゲートウェイ２を含み、前記終端ゲートウェイ１は網ノード装置１、接続サーバ１、電話番号サーバ１を含み、端末１は通信回線経由で網ノード装置１に接続され、前記中継ゲートウェイ２は網ノード装置２、中継接続サーバ２、電話番号サーバ２、中継制御部２、音声制御部２を含み、前記網ノード装置１及び２は、ＩＰカプセル化及び逆ＩＰカプセル化技法により外部ＩＰパケットと内部パケットとの間の変換方法を規定する複数ＩＰ通信レコードで成るアドレス管理表を含み、前記ＩＰ転送網はＮＮＩ通信回線を経て公衆交換電話網に接続され、電話機３は前記公衆交換電話網の交換機３に接続され、前記ＮＮＩ通信回線はＮＮＩ制御通信回線及びＮＮＩ音声通信回線で成り、前記中継制御部２は前記ＮＮＩ制御通信回線に接続され、前記音声制御部２は前記ＮＮＩ音声通信回線に接続され、前記中継制御部２は、前記ＩＰ転送網内の接続制御メッセージと前記公衆交換電話網内の接続制御メッセージを格納する信号ユニットとを電気信号レベルで双方向に変換する機能を有し、前記音声制御部２は音声を格納する外部ＩＰパケットと前記公衆電話交換網を伝送される音声フレームとを双方向に変換する機能を有すると共に、メディアパス接続表２を有し、前記接続サーバ１及び前記中継接続サーバ２はそれぞれＣＩＣ管理表１及び２を有し、前記中継接続サーバ２は更にアドレス接続表２を有し、前記網ノード装置１にはＩＰ通信レコード９１が設定されており、
電話機３が電話番号を用いて前記端末１に接続するため、宛先電話番号ＴＮ１を提示して接続要求し、前記交換機３が前記接続要求に基づいて初期アドレスメッセージを含む信号ユニット１を送出し、前記初期アドレスメッセージは手順区分ＩＡＭ、回線識別番号ＣＩＣＸ，送信元電話番号ＴＮ３，宛先電話番号ＴＮ１、送信元信号局アドレスＰＣ３，宛先信号局アドレスＰＣ２であり、前記中継接続サーバ２は前記信号ユニット１を受信し、前記信号ユニット１から取得した前記ＴＮ３及び前記ＴＮ１用いて前記ＩＰ転送網内で用いる回線識別番号ＣＩＣＹを定め、前記公衆交換電話網用の前記回線識別番号ＣＩＣＸ、前記回線識別番号ＣＩＣＹ、前記信号局アドレスＰＣ２及び前記信号局アドレスＰＣ３の組を前記アドレス接続表２のレコードＡ３Ｘとして書込み、メディアパス識別子ＭＰ３Ｘを定めて前記アドレス接続表２の前記レコードＡ３Ｘに追加書込み、更に手順区分ＩＡＭ、前記回線識別番号ＣＩＣＹ、前記電話番号ＴＮ３及びＴＮ１を前記ＣＩＣ管理表２のレコードＣ２として書込み、前記中継接続サーバ２は前記宛先電話番号ＴＮ１を前記電話番号サーバ２に提示して、前記端末１の外部アドレスＥＡ１及び前記接続サーバ１の内部アドレスＩＡ９１を取得し、取得した前記外部アドレスＥＡ１及び前記内部アドレスＩＡ９１を前記ＣＩＣ管理表２の前記レコードＣ２に書込み、
前記中継接続サーバ２は前記メディアパス識別子ＭＰ３Ｘ、前記外部アドレスＥＡ１を前記音声制御部２に通知し、前記音声制御部２は前記電話機３の音声を送信する外部ＩＰパケットの送信元外部アドレスＥＡ３及び送信元メディアポート番号ＰＮ３を定め、前記外部アドレスＥＡ３を前記中継接続サーバ２に通知すると共に、前記メディアパス識別子ＭＰ３Ｘ、前記外部アドレスＥＡ１、前記外部アドレスＥＡ３、前記メディアポート番号ＰＮ３の組を前記メディアパス接続表２のレコードＭ３Ｘとして記録し、前記中継接続サーバ２は前記外部アドレスＥＡ３を前記ＣＩＣ管理表２の前記レコードＣ２に書込み、手順区分ＩＡＭ、前記回線識別番号ＣＩＣＹ、前記電話番号ＴＮ３及びＴＮ１，前記外部アドレスＥＡ３、前記メディアポート番号ＰＮ３、中継接続サーバ２の内部アドレスＧＷ９２を含み、前記内部アドレスＩＡ９１を宛先アドレスとする初期アドレスメッセージを形成して送信し、前記接続サーバ１は受信した前記初期アドレスメッセージを受信して前記ＣＩＣ管理表１に記録し、前記メディアポート番号ＰＮ３は記録を省略でき、前記信号ユニット１内の接続要求に基づく着信通知を含む内部パケットを形成して前記端末１に向けて送出し、前記内部パケットは前記ＩＰ通信レコード９１の管理の基に少なくとも着信通知を含む外部ＩＰパケットとなって前記端末１に到達し、前記端末１は少なくとも着信通知を取得し、前記接続サーバ１は手順区分ＡＣＭ及び前記回線識別番号ＣＩＣＰを含むアドレス完了メッセージを形成して前記中継接続サーバ２へ送信し、前記中継接続サーバ２は前記アドレス完了メッセージを受信すると、前記回線識別番号ＣＩＣＹが含まれる前記アドレス接続表２の前記レコードＡ３Ｘを参照して、手順区分ＡＣＭ，回線識別番号ＣＩＣＸ、送信元信号局アドレスＰＣ２，宛先信号局アドレスＰＣ３であるアドレス完了メッセージを含む信号ユニット２を形成して、前記ＮＮＩ制御通信回線を経て前記公衆交換電話網へ送出し、前記交換機３は前記信号ユニット２を受信し、
前記端末１は前記着信通知を受信すると呼出中通知を含む外部ＩＰパケットを送出し、前記網ノード装置１において内部パケットとなって前記接続サーバ１に到達し、前記接続サーバ１は手順区分ＣＰＧ、前記回線識別番号ＣＩＣＰ、前記呼出中通知を含む呼経過メッセージを形成して前記中継接続サーバ２へ送信し、前記中継接続サーバ２は前記呼経過メッセージを受信すると、前記アドレス接続表２を用いて、宛先信号局アドレスが前記ＰＣ３である呼経過メッセージを含む信号ユニット３を形成して送出し、前記交換機３は前記信号ユニット３を受信すると電話機３に呼出中を通知し、次に前記端末１は応答を知らせる応答通知及び端末１のメディアポート番号ＰＮ１を含む外部ＩＰパケットを形成し、前記外部ＩＰパケットは内部パケットとなって前記接続サーバ１に到達し、前記接続サーバ１は前記メディアポート番号ＰＮ１を取出し、前記回線識別番号ＣＩＣＹ、前記応答通知、前記メディアポート番号ＰＮ１を含む応答メッセージを形成し、前記応答メッセージを前記中継接続サーバ２へ送信し、前記中継接続サーバ２は前記応答メッセージを受信すると、前記アドレス接続表を用いて、宛先信号局アドレスが前記ＰＣ３である応答メッセージを含む信号ユニット４を形成して送出し、前記交換機３は前記信号ユニット４を受信すると電話機３に応答を通知し、更に前記中継接続サーバ２は前記応答メッセージから前記メディアポート番号ＰＮ１を取得して前記音声制御部２に通知し、前記音声制御部２は前記メディアパス接続表２のレコードＭ３Ｘに、前記メディアポート番号ＰＮ１を追加し、前記レコードＭ３Ｘは前記メディアパス識別子ＭＰ３Ｘ、前記外部アドレスＥＡ３及びＥＡ１、前記メディアポート番号ＰＮ３及びＰＮ１の組を保持し、前記中継接続サーバ２は前記外部アドレスＥＡ３及びＥＡ１を含むＩＰ通信レコードＲＲ３を前記網ノード装置２内に設定し、前記接続サーバ１は前記外部アドレスＥＡ１及びＥＡ３を含むＩＰ通信レコードＲＲ１を前記網ノード装置１内に設定することにより、前記ＩＰ通信レコードＲＲ１及びＲＲ３によって表わす前記ＩＰ転送内のメディア通信路が定まり、
次に通信フェーズとなり、前記公衆電話交換網、前記ＮＮＩ音声通信回線を経て送られた音声フレームは前記音声制御部２に到達し、前記メディアパス接続表２の前記レコードＭ３Ｘが参照されて音声外部ＩＰパケットとなり、前記網ノード装置２に送られ、前記ＩＰ通信レコードＲＲ３の管理の基に内部パケットとなり、前記内部パケットは前記メディア通信路を転送されて網ノード装置１に送達し、前記ＩＰ通信レコードＲＲ１が用いられて前記音声外部ＩＰパケットが復元され通信回線１を経て前記端末１に到達し、前記電話機３から電話通信の切断要求が送信されると、前記交換機３から解放メッセージを含む信号ユニットが前記中継接続サーバ２へ送信され、前記中継接続サーバ２は前記アドレス接続表を参照して前記接続サーバ１へ解放メッセージを送信し、前記中継接続サーバ２から前記交換機３へ解放完了メッセージを含む信号ユニットを返信し、前記通信レコードＲＲ３及びＲＲ１が抹消され、ＩＰ転送網内の接続制御と公衆電話交換網内の接続制御をアドレス接続表２を用いて連携して実施し、音声制御部２がメディアパス接続表２を用いて音声外部ＩＰパケットと音声フレーム間の相互変換を行うＩＰ転送網と公衆電話交換網とを経由する電話通信を可能とするＩＰ転送を用いたＩＰ転送網を用いた端末間通信接続制御方法。
【手続補正２】
【補正対象書類名】明細書
【補正対象項目名】発明の名称
【補正方法】変更
【補正の内容】
【発明の名称】ＩＰ転送網を用いた端末間通信接続制御方法